(57)【要約】      （修正有）【課題】回転接続ユニットを容易に着脱し得る遊技機を提供する。【解決手段】ベース体における回転可動体の配設側と反対側に、凹状のユニット収容設置部１１９が設けられ、該ユニット収容設置部１１９に対して回転接続ユニット１６０が設置される。回転接続ユニット１６０は、ユニット収容設置部１１９に設けられた開口部１４６を介して、回転可動体と連係する。ユニット収容設置部１１９には、回転接続ユニット１６０を覆うカバー部材１５０が着脱可能に取り付けられ、該カバー部材１５０をユニット収容収容部１１９から取り外すことで、該ユニット収容設置部１１９に対する回転接続ユニット１６０の着脱が可能である。【選択図】図８
2017000631.tif 000002
【特許請求の範囲】
【請求項１】
電気部品を有する回転可動体が取付部に対して回転可能に設けられて、前記取付部側に位置する制御部と前記回転可動体の電気部品とを接続する回転接続ユニットを備えた遊技機において、
前記回転接続ユニットは、前記取付部側に保持されるケース体と、前記回転可動体に連係される回転部材とを備えて、前記ケース体側の第１導通部に前記制御部が接続されると共に、前記回転部材側の第２導通部に前記回転可動体の電気部品が接続されて、当該回転部材の回転時に第１導通部および第２導通部が摺接して導通するよう構成され、
前記取付部における前記回転可動体の配設側と反対側に、前記回転接続ユニットを収容状態で設置可能な凹状のユニット収容設置部が設けられ、
前記ユニット収容設置部には、該ユニット収容設置部に設置した前記回転接続ユニットの回転部材と前記回転可動体とを連係すると共に、前記第２導通部と回転可動体とを接続する配線が挿通する開口部が設けられ、
前記ユニット収容設置部における前記回転可動体の配設側と反対側の開口に、前記回転接続ユニットを覆うカバー部材が着脱可能に取り付けられ、
前記カバー部材を前記ユニット収容設置部から取り外すことで、該ユニット収容設置部に対する前記回転接続ユニットの着脱が可能に構成された
ことを特徴とする遊技機。
【請求項２】
前記回転可動体に検出部が設けられ、
前記回転可動体が所定位置にある場合に前記検出部を検出可能な検出手段を、前記回転可動体の配設側へ臨ませた状態で配設可能な検出手段配設部が、前記ユニット収容設置部に設けられ、
前記カバー部材には、前記検出手段配設部に配設された前記検出手段に当接可能な検出手段保持部が設けられ、
前記カバー部材を前記ユニット収容設置部から取り外すことで、前記検出手段配設部に対する前記検出手段の着脱が可能に構成された請求項１記載の遊技機。
【請求項３】
前記第１導通部と前記制御部側とを接続する第２の配線が、前記ケース体の側部において該第１導通部に接続されるよう構成され、
前記ユニット収容設置部において、前記ケース体における前記第２の配線の接続部分と近接する部位に、該第２の配線を挿通する配線挿通部が設けられている請求項１または２記載の遊技機。
【請求項４】
前記取付部は、遊技機構成部材の壁部に取付けられ、
前記壁部には、前記取付部の取付け側と反対側へ前記ユニット収容設置部を露出する開口部が形成され、
前記カバー部材および前記回転接続ユニットを、前記開口部を介して前記壁部の反対側から着脱可能に構成された請求項１〜３の何れか一項に記載の遊技機。
【発明の詳細な説明】
【技術分野】
【０００１】
本発明は、電気部品を有する回転可動体が取付部に対して回転可能に設けられて、前記取付部側に位置する制御部と前記回転可動体の電気部品とを電気的に接続する回転接続ユニットを備えた遊技機に関するものである。
【背景技術】
【０００２】
パチンコ機やスロットマシン等の遊技機では、液晶タイプやドラムタイプの図柄表示装置において、図柄組み合わせや動画による遊技演出を行うよう構成されている。また、遊技機は、所要の動作を行う可動体を備えた可動演出装置を備えたものがあり、図柄表示装置の表示部で行われる遊技演出に合わせて該可動体を動作させることにより、視覚的な演出効果を向上させて遊技の興趣を高めている。
【０００３】
前記可動演出装置は、遊技機の固定部に配設される装置本体に可動体が動作可能に配設され、該可動体が往復移動する構成のものや、該可動体が回転する構成のもの等、様々な形態やデザインのものが実施されている。また、可動演出装置は、ＬＥＤを備えた電飾装置や表示装置等の電気部品を可動体に装備したものがあり、該可動体の停止時および動作時に該電気部品に電気を供給可能に構成することで、該電気部品の動作により演出効果の更なる向上が図られている。
【０００４】
ここで、前記可動体が回転する構成の回転式の可動演出装置では、該可動体(以降「回転可動体」という)の回転時においても該回転可動体に配設された電気部品に対する電気の供給や信号の送信を可能とする回転接続ユニットを備えている。この回転接続ユニットは、可動演出装置の装置本体に固定されるケース体と、該ケース体に回転自在に配設されると共に可動体に連結される回転部材と、該ケース体に固定されると共に制御装置側と電気的に接続された第１導通部と、回転部材に固定されると共に回転可動体に配設された電気部品に電気的に接続され、回転部材の回転時に第１導通部に摺接する第２導通部とを備えている。これにより、回転可動体の回転に伴って回転部材が回転する際に第２導通部と第１導通部との摺接が維持されることで、制御装置から回転可動体に配設された電気部品への電気供給や信号送信が可能となり、回転可動体の動作中であっても該回転可動体に配設された電気部品が制御が可能となる。このような回転接続ユニットを備えた遊技機は、特許文献１に開示されている。
【先行技術文献】
【特許文献】
【０００５】
【特許文献１】特開２０１５−５８０６４号公報
【発明の概要】
【発明が解決しようとする課題】
【０００６】
ところで、従来の可動演出装置では、回転接続ユニットが、回転可動体と取付部との間に位置するように該取付部に設置されている。このため、回転接続ユニットのメンテナンスや修理を行う際には、回転可動体を取付部から取り外さなければ該回転接続ユニットを着脱することができず、メンテナンス性が悪い問題がある。
【０００７】
すなわち、本発明は、従来技術に係る遊技機に内在する前記問題に鑑み、これらを好適に解決するべく提案されたものであって、回転接続ユニットを容易に着脱し得るように構成した遊技機を提供することを目的とする。
【課題を解決するための手段】
【０００８】
前記課題を解決し、所期の目的を達成するため、本発明の請求項１に係る発明は、
電気部品(103)を有する回転可動体(102)が取付部(101)に対して回転可能に設けられて、前記取付部(101)側に位置する制御部(291)と前記回転可動体(102)の電気部品(103)とを接続する回転接続ユニット(160)を備えた遊技機において、
前記回転接続ユニット(160)は、前記取付部(101)側に保持されるケース体(161)と、前記回転可動体(102)に連係される回転部材(162)とを備えて、前記ケース体(161)側の第１導通部(164)に前記制御部(291)が接続されると共に、前記回転部材(162)側の第２導通部(165)に前記回転可動体(102)の電気部品(103)が接続されて、当該回転部材(162)の回転時に第１導通部(164)および第２導通部(165)が摺接して導通するよう構成され、
前記取付部(101)における前記回転可動体(102)の配設側と反対側に、前記回転接続ユニット(160)を収容状態で設置可能な凹状のユニット収容設置部(119)が設けられ、
前記ユニット収容設置部(119)には、該ユニット収容設置部(119)に設置した前記回転接続ユニット(160)の回転部材(162)と前記回転可動体(102)とを連係すると共に、前記第２導通部(165)と回転可動体(102)とを接続する配線(WH2)が挿通する開口部(146)が設けられ、
前記ユニット収容設置部(119)における前記回転可動体(102)の配設側と反対側の開口に、前記回転接続ユニット(160)を覆うカバー部材(150)が着脱可能に取り付けられ、
前記カバー部材(150)を前記ユニット収容設置部(119)から取り外すことで、該ユニット収容設置部(119)に対する前記回転接続ユニット(160)の着脱が可能に構成されたことを要旨とする。
請求項１に係る発明によれば、回転可動体が回転可能に設けられた取付部における該回転可動体の配設側と反対側に設けられたユニット収容設置部に、該回転可動体の配設側と反対側から回転接続ユニットを着脱可能に設置して回転可動体に連係するよう構成したので、回転可動体を取付部から取り外すことなく回転接続ユニットをユニット収容設置部に対して着脱可能となる。これにより、回転接続ユニットのメンテナンスを行い易くなり、メンテナンス性が向上する。また、カバー部材をユニット収容設置部に配設することで、回転接続ユニットが保護されると共に、該回転接続ユニットをユニット収容設置部へ安定的に保持可能である。
【０００９】
請求項２に係る発明では、
前記回転可動体(102)に検出部(196)が設けられ、
前記回転可動体(102)が所定位置にある場合に前記検出部(196)を検出可能な検出手段(155,156)を、前記回転可動体(102)の配設側へ臨ませた状態で配設可能な検出手段配設部(149,149)が、前記ユニット収容設置部(119)に設けられ、
前記カバー部材(150)には、前記検出手段配設部(149,149)に配設された前記検出手段(155,156)に当接可能な検出手段保持部(152,153)が設けられ、
前記カバー部材(150)を前記ユニット収容設置部(119)から取り外すことで、前記検出手段配設部(149,149)に対する前記検出手段(155,156)の着脱が可能に構成されたことを要旨とする。
請求項２に係る発明によれば、カバー部材をユニット収容設置部から取り外すことで、検出手段のメンテナンスや交換作業を容易に行うことができる。
【００１０】
請求項３に係る発明では、
前記第１導通部(164)と前記制御部(291)側とを接続する第２の配線(WH1)が、前記ケース体(161)の側部において該第１導通部(164)に接続されるよう構成され、
前記ユニット収容設置部(119)において、前記ケース体(161)における前記第２の配線(WH1)の接続部分と近接する部位に、該第２の配線(WH1)を挿通する配線挿通部(173)が設けられていることを要旨とする。
請求項３に係る発明によれば、ケース体の側部で第１導通部に接続される第２の配線を、ユニット収容設置部内を長く引き回すことなく第２の配線挿通部を介してユニット収容設置部の外へ引き出すことができ、該第２の配線がユニット収容設置部内で嵩張ることを防止し得る。
【００１１】
請求項４に係る発明では、
前記取付部(101)は、遊技機構成部材(50)の壁部(51)に取付けられ、
前記壁部(51)には、前記取付部(101)の取付け側と反対側へ前記ユニット収容設置部(119)を露出する開口部(54)が形成され、
前記カバー部材(150)および前記回転接続ユニット(160)を、前記開口部(54)を介して前記壁部(51)の反対側から着脱可能に構成されたことを要旨とする。
請求項４に係る発明によれば、遊技機構成部材の壁部に取付部を取付けた状態で、ユニット収容設置部に設置した回転接続ユニットおよびカバー部材を、該壁部の開口部を介して着脱可能である。これにより、遊技機構成部材の壁部から取付部を取外す必要がないので、回転接続ユニットのメンテナンスを行い易くなり、メンテナンス性が向上する。
【発明の効果】
【００１２】
本発明に係る遊技機によれば、回転接続ユニットを容易に着脱することができ、該回転接続ユニットのメンテナンス性が向上する。
【図面の簡単な説明】
【００１３】
【図１】本発明の実施例に係るパチンコ機の正面図である。
【図２】(ａ)は、設置部材に取付けた可動演出装置の第１演出状態で示す実施例の遊技盤を前方右斜め上方から見た斜視図であり、(ｂ)は、(ａ)の遊技盤を後方左斜め上方から見た斜視図である。
【図３】可動演出装置の第１演出状態で示す実施例の遊技盤の正面図である。
【図４】設置部材と可動演出装置とを分離した状態で示す斜視図である。
【図５】回転可動体が第１演出位置にある状態の可動演出装置および発光演出装置を前方右斜め上方から見た斜視図である。
【図６】実施例の可動演出装置および発光演出装置を、カバー部材を分離した状態で後方左斜め上方から見た斜視図である。
【図７】図５のＸ１−Ｘ１線断面図である。
【図８】回転接続ユニット、第１および第２検出センサおよびカバー部材等を、ベース体のベース部材から分離した状態を示す斜視図である。
【図９】(ａ)は、回転接続ユニットの回転体に設けられた第１連係部と、回転可動体の支持部材に設けられた第２連係部との連係構成を示す斜視図であり、(ｂ)は、回転接続ユニットの回転体に設けられた第１連係部と、回転可動体の支持部材に設けられた第２連係部との連係態様を示す断面図である。
【図１０】回転可動体を第２演出位置とした第２演出状態の可動演出装置および発光演出装置を示す正面図である。
【図１１】(ａ)は、第２演出位置にある回転可動体、駆動機構および第２表示装置を示す左側面図であり、(ｂ)は、第２演出位置にある回転可動体、駆動機構および第２表示装置を示す背面図である。
【図１２】前方右斜め上方から見た可動演出装置の分解斜視図である。
【図１３】前方右斜め上方から見た発光演出装置の分解斜視図である。
【図１４】前方右斜め上方から見た支持部材、第１表示装置、フード、上部カバー部材および前部カバー体の分解斜視図である。
【図１５】実施例に係るパチンコ機の制御構成を示すブロック図である。
【発明を実施するための形態】
【００１４】
次に、本発明に係る遊技機につき、好適な実施例を挙げて、添付図面を参照しながら以下詳細に説明する。なお、実施例では、遊技機として、遊技媒体としてパチンコ球を用いて遊技を行うパチンコ機を例に挙げて説明する。また、以下の説明において、「前」、「後」、「左」、「右」とは、特に説明がなければ、図１に示すようにパチンコ機１０を前側(遊技者側)から見た状態で指称する。
【実施例】
【００１５】
(パチンコ機１０について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２、図３参照)を着脱可能に保持する本体枠としての中枠１２が開閉および着脱可能に組み付けられている。また、中枠１２の前面側には、遊技盤２０を透視保護するガラス板等の透視保護体１３ａを備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。また、中枠１２の右下方位置には、該中枠１２に配設された打球発射装置(図示せず)を作動する操作ハンドル１６が設けられており、該操作ハンドル１６の操作により打球発射装置が作動することで、上球受け皿１４に貯留されたパチンコ球が遊技盤２０に向けて発射されるようになっている。なお、上球受け皿１４は、前枠１３と別体に形成して中枠１２に対して開閉可能に組み付けるようにしてもよく、また上下の球受け皿の一方を省略して１つの球受け皿のみ設ける構成であってもよい。
【００１６】
（中枠）
前記中枠１２は、図１に示すように、上縁をなす上枠部と、下縁をなして打球発射装置等が設置された下枠部と、左側縁をなす左枠部と、右側縁をなす右枠部とから構成され、全体が外枠１１の開口に整合する矩形枠状に形成される。中枠１２には、遊技盤２０を前側から着脱可能に設置し得る遊技盤保持部が設けられている。そして中枠１２は、外枠１１の左上および左下に設けられたヒンジ１７,１７を介して該外枠１１に枢支され、該外枠１１に対して左側端部を中心として開閉し得るようになっている。なお中枠１２は、上下左右の各枠部が一体成形されたものであってもよい。
【００１７】
(前枠)
前記前枠１３は、図１に示すように、中枠１２の外郭形状に略合致する板状に形成されると共に前後方向に開口する窓口１８が開設された枠本体の前側に、該窓口１８を囲むように複数の装飾部材１９が取付けられている。装飾部材１９内には、ＬＥＤチップを実装し発光基板(図示せず)が配設され、該発光基板のＬＥＤチップが発光制御されることで装飾部材１９の光透過部分が明輝されるようになっている。
【００１８】
(遊技盤２０について)
前記遊技盤２０は、図２および図３に示すように、ベニア等を貼り合わせた木製合板を材質とし、中枠１２に設けられた遊技盤保持部の内縁形状に整合する外形形状に形成された略矩形の平板状の部材である。遊技盤２０の前側には、左下部から右上部にかけて円弧状に延在する外レール２１と、この外レール２１の内側に中央下部から左上部にかけて並べて配置された内レール２２と、外レール２１の右上部から内レール２２の下部までの間に右方へ凹む湾曲形状に構成された盤面飾り部材２３等が配設されており、両レール２１,２２および盤面飾り部材２３で囲まれた内側が遊技領域２４として構成されている。遊技盤２０には、前後に貫通する装着口が遊技領域２４内に複数開設されて、各装着口に対して各種の遊技盤構成部品が前側から取付けられる。また、遊技領域２４の最下部位置には、該遊技領域２４に打ち出されたパチンコ球を排出するアウト口３３が開設されている。更に、遊技盤２０には、遊技領域２４内に多数の遊技釘３１やゲート３２が配設されており、遊技領域２４を流下するパチンコ球が、遊技釘３１に接触することで流下方向を不規則に変化したり誘導されるようになっている。なお、遊技盤２０に開設される装着口の形成数や大きさは、遊技盤２０に対して取付けられる各種部品の個数や配設位置等に応じて適宜決定される。
【００１９】
前記遊技盤２０に開設された装着口(図示せず)には、図２(ａ)および図３に示すように、後述する枠状装飾体３５と、遊技領域２４を流下するパチンコ球が入賞可能な始動入賞装置２５と、第１特別入賞装置２８、第２特別入賞装置２９および普通入賞装置３０などが取付けられている。枠状装飾体３５は、遊技領域２４の中央において略円形状に開口形成された装着口に配設され、左側の第１遊技領域２４ａおよび右側の第２遊技領域２４ｂに遊技領域２４を分けている。始動入賞装置２５は、枠状装飾体３５が配設された装着口２０ａの下方に開口形成された装着口に配設される。第１特別入賞装置２８は、始動入賞装置２５が配設された装着口２０ｂの左側に開口形成された装着口に配設され、第２特別入賞装置２９は、該装着口２０ｂの右側に開口形成された装着口に配設されている。また、普通入賞装置３０は、第１特別入賞装置２８が配設された装着口に配設されている。
【００２０】
(始動入賞装置２５について)
前記始動入賞装置２５は、図２(ａ)および図３に示すように、上方に設けられた第１始動入賞口２６と、該第１始動入賞口２６の下方に設けられた第２始動入賞口２７とを備えている。第１始動入賞口２６は、該始動入賞口２６に入賞したパチンコ球(入賞球)を検出すると共に検出信号を、メイン制御手段としてのメイン制御基板２９０(図１５参照)へ送信する第１始動入賞検出センサ４４(図１５参照)を備えている。すなわち、第１始動入賞口２６は、遊技領域２４内で常に上方へ開口する常時開放タイプの入賞口であり、該遊技領域２４を流下するパチンコ球が常時一定の確率で入賞可能に構成されている。そして、第１始動入賞検出センサ４４からの検出信号を受信したメイン制御基板２９０のメイン制御ＣＰＵ２９１ａは、球払出装置が所定数の賞球を払い出させるように球払出制御基板に制御信号を送信すると共に、入賞時情報(各種乱数情報)を取得して、該入賞時情報に基づいて大当り抽選(大当り判定)を行うようになる。
【００２１】
前記第２始動入賞口２７は、図３に示すように、該第２始動入賞口２７に入ったパチンコ球(入賞球)を検出すると共に検出信号をメイン制御基板２９０へ送信する第２入賞検出センサ４５(図１５参照)を備えている。また、第２始動入賞口２７は、前後方向へ揺動して該第２始動入賞口２７を開閉するフラップ形態の開閉扉２７ａと、開閉扉２７ａを開閉動作させる作動手段としての始動入賞ソレノイド２７ｂ(図１５参照)とを備え、該開閉扉２７ａは、該始動ソレノイド２７ｂの作動により第２始動入賞口２７を閉鎖する閉鎖位置および開放する開放位置に変位するよう構成されている。すなわち、実施例の第２始動入賞口２７は、開閉扉２７ａが変位することで、第２始動入賞口２７に対するパチンコ球の入賞確率を可変し得るよう構成されている。そして、第２始動入賞検出センサ４５からの検出信号を受信したメイン制御基板２９０のメイン制御ＣＰＵ２９１ａは、前述したように、球払出装置が所定数の賞球を払い出させるように球払出制御基板に制御信号を送信すると共に、入賞時情報(各種乱数情報)を取得して、該入賞時情報に基づいて大当り抽選(大当り判定)を行うようになる。
【００２２】
(第１特別入賞装置２８について)
第１遊技領域２４ａの下流部に配設された第１特別入賞装置２８は、図２(ａ)および図３に示すように、第２遊技領域２４ａに横長に開口する特別入賞口２８ａが上側に設けられた本体と、該特別入賞口２８ａを開閉自在に閉成するシャッタ形態の開閉部材２８ｂと、該開閉部材２８ｂを開閉動作させる作動手段としての第１特別入賞ソレノイド２８ｃ(図１５参照)とを備える。また、第１特別入賞装置２８は、特別入賞口２８ａに入賞したパチンコ球(入賞球)を検出すると共に検出信号をメイン制御基板２９０へ送信する第１特別入賞検出センサ４６(図１５参照)を備えている。開閉部材２８ｂは、特別入賞口２８ａに対して前後方向へスライド移動が可能に配設され、第１特別入賞ソレノイド２８ｃの作動に伴って、特別入賞口２８ａが閉鎖する閉鎖位置と開放する開放位置とにスライド移動する。そして、第１特別入賞検出センサ４６からの検出信号を受信したメイン制御基板２９０のメイン制御ＣＰＵ２９０ａは、前述したように、球払出装置が所定数の賞球を払い出させるように球払出制御基板に制御信号を送信する。ここで、第１特別入賞装置２８は、第１始動入賞口２６へパチンコ球が入賞して第１始動入賞検出センサ４４から検出信号がメイン制御基板２９０へ送信されたことを契機として、メイン制御基板２９０が行う大当り抽選の結果として所定の大当り遊技(例えば、確変大当り遊技や非確変大当り遊技等の特別遊技)が生起された場合に、該大当り遊技のラウンド演出に基づいて開閉部材２８ｂを動作させて特別入賞口２８ａを所定の回数で開放するよう制御される。すなわち、メイン制御基板２９０のメイン制御ＣＰＵ２９０ａは、所定の判定条件の成立を契機として当り判定を実行する当り判定手段としての機能を備えている。
【００２３】
(第２特別入賞装置２９について)
第２遊技領域２４ｂの下流部に配設された第２特別入賞装置２９は、図２(ａ)および図３に示すように、基本構成は第１特別入賞装置２９と同じである。すなわち、第２特別入賞装置２９は、第２遊技領域２４ｂに横長に開口する特別入賞口２９ａが上側に設けられた本体と、該特別入賞口２９ａを開閉自在に閉成するシャッタ形態の開閉部材２９ｂと、該開閉部材２９ｂを開閉動作させる作動手段としての第２特別入賞ソレノイド２９ｃ(図１５参照)とを備える。また、第２特別入賞装置２９は、特別入賞口２９ａに入賞したパチンコ球(入賞球)を検出すると共に検出信号をメイン制御基板２９０へ送信する第２特別入賞検出センサ４７(図１５参照)とを備えている。開閉部材２９ｂは、特別入賞口２９ａに対して前後方向へスライド移動が可能に配設され、第２特別入賞ソレノイド２９ｃ(図１５参照)の作動に伴って、特別入賞口２９ａが閉鎖する閉鎖位置と開放する開放位置とにスライド移動する。そして、第２特別入賞検出センサ４７からの検出信号を受信したメイン制御基板２９０のメイン制御ＣＰＵ２９０ａは、前述したように、球払出装置が所定数の賞球を払い出させるように球払出制御基板に制御信号を送信する。ここで、第２特別入賞装置２９は、第２始動入賞口２７へパチンコ球が入賞して第２特別入賞検出センサ４５から検出信号がメイン制御基板２９０へ送信されたことを契機として、メイン制御基板２９０のメイン制御ＣＰＵ２９０ａが行う大当り抽選の結果として所定の大当り遊技(例えば、確変大当り遊技や非確変大当り遊技等の特別遊技)が生起された場合に、該大当り遊技のラウンド演出に基づいて開閉部材２９ｂを動作させて特別入賞口２９ａを所定の回数で開放するよう制御される。
【００２４】
前述のように構成された遊技盤２０では、打球発射装置から発射されたパチンコ球が外レール２１と内レール２２との間を通って遊技領域２４の左側上部に打ち出された際に、該打球発射装置による打球力を弱く調整した所謂左打ちの場合は、主に遊技領域２４の第１遊技領域２４ａを流下し、該打球発射装置による打球力を強く調整した所謂右打ちの場合は、主に遊技領域２４の第２遊技領域２４ｂを流下するようになっている。そして、遊技領域２４に打ち出されたパチンコ球が始動入賞装置２５の第１始動入賞口２６または第２始動入賞口２７に入賞して第１始動入賞検出センサ４４または第２始動入賞検出センサ４５が検出すると、当該パチンコ機１０を総合的に制御するメイン制御基板２９０のメイン制御ＣＰＵ２９０ａに対して該始動入賞検出センサ４４,４５から検出信号が送信される。これに基づいてメイン制御基板２９０のメイン制御ＣＰＵ２９０ａは、大当り抽選を行なうと共に、当該大当り抽選の結果に基づいて、演出制御手段としての演出制御基板(制御部)２９１に制御信号を出力して、後述する第２表示装置１０４の表示部１０４ａにおいて図柄変動演出を行わせるようになっている。そして、第２表示装置１０４での図柄変動演出の結果、表示部１０４ａに所定の図柄組み合わせ(例えば同一図柄の３つ揃い等)で図柄が確定的に停止表示されると所謂大当り遊技が生起される。ここで、第１始動入賞口２６への入賞に基づいて大当り遊技が生起された場合には、第１特別入賞装置２８の特別入賞口２８ａが開放し、遊技者が多数の賞球を獲得可能な機会が与えられる。また、第２始動入賞口２７への入賞に基づいて大当り遊技が生起した場合には、第２特別入賞装置２９の特別入賞口２９ａが開放し、遊技者が多数の賞球を獲得可能な機会が与えられる。なお、前述した第１始動入賞口２６、第２始動入賞口２７、特別入賞口２８ａまたは普通入賞装置３０の何れにも入賞することなく遊技領域２４の下部まで流下したパチンコ球は、アウト口３３を介して遊技盤２０の裏側へ回収される。
【００２５】
(制御構成について)
実施例のパチンコ機１０には、図１５に示す如く、パチンコ機１０を全体的に制御するメイン制御基板(メイン制御手段、遊技制御手段)２９０と、該メイン制御基板２９０からの制御信号に基づいて各制御対象を制御するサブ制御基板(サブ制御手段、演出制御手段)２９１,２９２とが設けられている。すなわち、メイン制御基板２９０では、パチンコ機１０に備えられた各種検出センサ(検出手段)からの検出信号に基づいて各種処理が実行され、その処理結果に応じた各種の制御信号(制御コマンド)がサブ制御基板２９１,２９２に出力されるようになっている。そして、実施例のパチンコ機１０には、サブ制御基板として、遊技演出を全体的に制御する演出制御基板２９１と、後述する第１表示装置１０３および第２表示装置１０４の演出内容を制御する表示制御基板２９２と、各種ランプ装置や後述する発光演出装置２７０等の発光演出手段の発光制御を行う発光制御手段としてのランプ制御基板２９３と、パチンコ機１０が備えるスピーカ４８(図１参照)の音出力制御を行う音制御手段としての音制御基板２７４とを備えている。すなわち、メイン制御基板２９０が出力した制御信号(制御コマンド)に基づいて、前記演出制御基板２９１が表示制御基板２９２、ランプ制御基板２７３および音制御基板２７４を制御するよう構成されており、パチンコ機１０で実行される各種遊技演出(図柄変動演出や発光演出、音声演出)を統括的にコントロールし得るようになっている。ここで、表示制御基板２９２は、演出制御基板２９１から出力された制御信号(制御コマンド)に基づいて、第１表示装置１０３および第２表示装置１０４に表示される飾図(図柄)や背景画像等の図柄変動演出の表示内容を制御するよう構成される。また、ランプ制御基板２９３は、演出制御基板２９１から出力された制御信号(制御コマンド)に基づいて、パチンコ機１０が備える各種発光演出手段の点灯・消灯のタイミングや、発光強度、発光態様等を制御するものである。そして、音制御基板２７４は、演出制御基板２９１から出力された制御信号(制御コマンド)に基づき、パチンコ機１０が備える各種スピーカ４８からの音声出力のタイミングや出力内容等を制御するものである。
【００２６】
前記メイン制御基板２９０は、図１５に示す如く、制御処理を実行するメイン制御ＣＰＵ２９０ａ、該メイン制御ＣＰＵ２９０ａが実行する制御プログラムを記憶するメイン制御ＲＯＭ２９０ｂ、当該メイン制御ＣＰＵ２９０ａの処理に必要なデータの書込み・読出しが可能なメイン制御ＲＡＭ２９０ｃ等が備えられている。そして、前記始動入賞検出センサ４４,４５、特別入賞検出センサ４６,４７等の各種センサが前記メイン制御ＣＰＵ２９０ａに接続されている。前記演出制御基板２９１には、演出制御ＣＰＵ２９１ａが備えられている。該演出制御ＣＰＵ２９１ａには、演出制御ＲＯＭ２９１ｂおよび演出制御ＲＡＭ２９１ｃが接続されている。演出制御ＲＯＭ２９１ｂには、図柄変動演出において実行する図柄変動演出の具体的な演出内容を特定する演出パターンが記憶されている。また、演出制御ＲＯＭ２９１ｂには、表示制御基板２９２、ランプ制御基板２９３および音制御基板２７４を統括的に制御するための演出制御プログラムが記憶されている。前記表示制御基板２９２には、表示制御ＣＰＵ２９２ａが備えられていると共に、該表示制御ＣＰＵ２９２ａには、表示制御ＲＯＭ２９２ｂおよび表示制御ＲＡＭ２９２ｃが接続されている。また、表示制御基板２９２(表示制御ＣＰＵ２９２ａ)には、第１表示装置１０３および第２表示装置１０４が接続されている。表示制御ＲＯＭ２９２ｂには、第１表示装置１０３および第２表示装置１０４の表示内容を制御するための表示制御プログラムが記憶されている。また、表示制御ＲＯＭ２９２ｂには、各種の画像データ(図柄、各種背景画像、文字、キャラクタなどの画像データ)が記憶されている。更に、表示制御ＲＡＭ２９２ｃには、パチンコ機１０の動作中に適宜書き換えられる各種の情報が記憶(設定)されるようになっている。
【００２７】
(枠状装飾体３５について)
図２(ａ)および図３に示すように、前記枠状装飾体３５は、複数の枠状装飾部材を組付けて構成されている。すなわち枠状装飾体３５は、環状に形成された枠部材３６と、枠部材３６に組付けられた複数(実施例では３つ)の装飾部材３７(３７ａ〜３７ｃ)と、枠部材３６の内側下部に配設されたステージ部材３８とを備えている。また、枠状装飾体３５には、「右打ち」および「左打ち」を報知する表示部４０ａ,４０ｂ,４０ｃを備えた発光表示装置４０が、枠部材３６に組付けられている。
【００２８】
前記枠部材３６は、図３に示すように、遊技盤２０の前面に当接するフランジ部３６ａと、該フランジ部３６ａから前方に設けられて遊技盤２０の前面から前方に突出する枠部３６ｂと、該フランジ部３６ａから後方に設けられて装着口２０ａの内側に位置する本体部(図示せず)とを備えている。フランジ部３６ａは、装着口２０ａの開口縁より一回り大きい外縁形状に形成されており、枠状装飾体３５を遊技盤２０の前側から装着口２０ａへ装着した際に、該遊技盤２０の前面に当接するようになる。また、フランジ部３６ａには、前後に貫通した複数のネジ孔が形成されており、該ネジ孔を介してネジを遊技盤２０に締結することで、枠状装飾体３５が該遊技盤２０に固定される。枠部３６ｂは、フランジ部３６ａにおけるステージ部材３８の配設部分を除く左側部から上部および右側部に亘って円弧状に延在し、第１遊技領域２４ａおよび第２遊技領域２４ｂを流下するパチンコ球が、枠状装飾体３５の内側へ移動することを規制する区画壁である。また、枠状装飾体３５の右側部には、パチンコ球の直径より僅かに大きい間隔(パチンコ球の直径以上でかつ直径の２倍以下)で枠部３６ｂから離間すると共に該枠部３６ｂに沿って延在する壁部３６ｃが形成され、該枠部３６ｂと壁部３６ｃとの間に、第２遊技領域２４ｂを流下するパチンコ球が通過する球通路３９が形成されている。本体部３６ｃには、前記発光表示装置４０が取付けられる。
【００２９】
枠状装飾体３５の左側上部に取付けられた装飾部材３７ａおよび該枠状装飾体３５の右側下部に取付けられた装飾部材３７ｂは、透光性を有する透明部材であり、枠部３６ｂの前側に位置する前壁部の一部には、メッキや塗装等により適宜の模様が形成されている。また、枠状装飾体３５の右側下部に取付けられた装飾部材３７ｃは、装飾部材３７ｂに隣接しており、マイクを模したデザインに形成されている。なお、装飾部材３７ｂおよび装飾部材３７ｃの後側には、ランプ制御基板２９４(図１５参照)により発光制御される発光基板(図示せず)が配設されている。
【００３０】
前記ステージ部材３８は、図３に示すように、第１遊技領域２４ａに開口した球流入口３８ａと、該球流入口３８ａに連通すると共に左右方向に延在し、該球流入口３８ａから流入したパチンコ球が転動可能な転動面３８ｂとを備えている。そして、ステージ部材３８における転動面３８ｂの前側は遊技領域２４に開口しており、該転動面３８ｂ上を左右に移動したパチンコ球は、適宜位置から前側へ落下可能に構成されている。なお、ステージ部材３８における転動面３８ｂの上方には、左右方向に延在する隔壁３８ｃが設けられており、転動面３８ｂ上を転動するパチンコ球が枠状装飾体３５の開口部３５ａから後方へ移動することを規制するよう構成されている。
【００３１】
従って、パチンコ機１０の遊技態様が、パチンコ球を第１遊技領域２４ａへ打ち出すように操作ハンドル１６を操作する「左打ち」の状態となった場合には、発光表示装置４０は、レンズ部材４４ａの「左打ち」の文字およびレンズ部材４４ｂが明輝されるように発光基板４３のＬＥＤチップ４３ａが点灯制御される。また、パチンコ機１０の遊技態様が、パチンコ球を第２遊技領域２４ｂへ打ち出すように操作ハンドル１６を操作する「右打ち」の状態となった場合には、発光表示装置４０は、レンズ部材４４ａの「右打ち」の文字およびレンズ部材４４ｃが明輝されるように発光基板４３のＬＥＤチップ４３ａが点灯制御される。従って、発光表示装置４０の発光制御により、「左打ち」状態または「右打ち」状態とすることを遊技者に促すと共に報知することが可能である。
【００３２】
(設置部材５０について)
遊技盤２０の後側に取付けられる設置部材(遊技機構成部材)５０は、図２(ｂ)および図４に示すように、前方に開放する略矩形のケース状に形成された部材であって、前側の開放端を遊技盤２０の後面に突き合わせた状態で該遊技盤２０に取付けられる。設置部材５０は、遊技盤２０の後面に対して所要の間隔で略平行に対向する設置壁部(壁部)５１と、この設置壁部５１の周縁から前方へ延出形成された外周壁部５２と、この外周壁部５２の前端から外方に向けて屈曲した形状に形成された取付板部５３とを備えている。すなわち設置部材５０は、外周壁部５２で囲われて遊技盤２０側に開放する前部開口が略矩形状に形成されると共に、取付板部５３の外周縁が、遊技盤２０の外周縁より一回り小さい形状および大きさで形成されている。そして設置部材５０は、取付板部５３を遊技盤２０の後面にネジ止めすることで該遊技盤２０に取付けられ、遊技盤２０の後面と該後面から離間した設置壁部５１の前側との間に空間を画成する。
【００３３】
図２(ｂ)および図４に示すように、設置壁部５１は、上下中央よりも下方の位置に段差が設けられて、該段差より上側の上壁部５１ａが、該段差より下側の下壁部５１ｂよりも後方に位置している。設置壁部５１の上壁部５１ａの前側には、可動演出装置１００および発光演出装置２７０等を取付けるための設置部が設けられている。また、上壁部５１ａの後側には、前記演出制御基板２９１を収容した基板ケースおよび前記表示制御基板２９２を収容した基板ケースを取り付ける設置部が設けられている。実施例では、設置壁部５１の後側から見て、上壁部５１ａの右側領域に演出制御基板２９１の基板ケースが取り付けられ、該上壁部５１ａの左側領域に表示制御基板２９２の基板ケースが取り付けられる。
【００３４】
図４に示すように、設置壁部５１の下壁部５１ｂの後側には、中継基板(図示)せずを設置する中継基板設置部５５が設けられている。実施例の中継基板設置部５５は、複数の中継基板を、左右に並べて設置可能に構成されている。また、図２(ｂ)に示すように、下壁部５１ｂの後側には、中継基板設置部５５に設置された中継基板を挟んだ後方に、前述したメイン制御基板２９０を収容した基板ケースを取り付けるための基板保持部材５８が取付けられている。ここで、中継基板としては、演出制御基板２９１により制御される各装置と該演出制御基板２９１とを電気的に接続する基板と、メイン制御基板２９０により制御される各装置と該メイン制御基板２９０とを電気的に接続する基板と、第１表示装置１０３および第２表示装置１０４と表示制御基板置２９２とを電気的に接続する基板等がある。
【００３５】
また、図２(ｂ)および図４に示すように、設置壁部５１には、前後に開口する開口部５４が形成されている。この開口部５４には、設置壁部５１の上壁部５１ａの前側に可動演出装置１００を配設した際に、該可動演出装置１００のベース体(取付部)１０１により塞がれる形状に形成されている。そして、設置壁部５１の前側に可動演出装置１００を取付けた状態では、該可動演出装置１００のベース体１０１の後面が、開口部５４を介して設置部材５０の後側へ露出されるよう構成されている。そして、可動演出装置１００のベース体１０１の後面にユニット収容設置部１１９が設けられており、該ユニット収容設置部１１９が開口部５４を介して設置部材５０の後側に露出するように構成されている。これにより実施例では、ユニット収容設置部１１９に配設される回転接続ユニット１６０の着脱作業が、開口部５４を介して行うことが可能に構成されている。
【００３６】
(可動演出装置１００について)
次に、可動演出装置１００について、図面を引用して説明する。なお、以降の可動演出装置１００の構成に関連する説明においては、該可動演出装置１００の第１演出状態に対応する第１演出位置(図３、図５および図７)にある場合を基準として、上下、左右および前後を指称する。
【００３７】
実施例の可動演出装置１００は、図３、図５および図７に示すように、設置部材５０に取付けられるベース体１０１と、このベース体１０１に回転自在に配設される回転可動体１０２とを備えている。そして、可動演出装置１００は、回転可動体１０２に配設されて該回転可動体１０２の回転に伴って姿勢変位する第１表示装置１０３と、ベース体１０１に固定されて姿勢変位しない第２表示装置１０４とを備えている。また、回転可動体１０２には、第１表示装置１０３の表示部１０３ａに表示された演出内容を反射可能で、かつ第２表示装置１０４の表示部１０４ａに表示された演出内容を透過可能なハーフミラー部１０５が設けられている。そして、実施例の可動演出装置１００は、駆動機構１０６による回転可動体１０２の回転に伴って、ハーフミラー部１０５が第２表示装置１０４の前側を移動するようになり、該ハーフミラー部１０５と第２表示装置１０４とが前後方向で重なった状態(図３、図５および図７参照)(以降「第１演出状態」という)と、該ハーフミラー部１０５を該第２表示装置１０４の前側から外れて位置させて、該ハーフミラー部１０５と第２表示装置１０４とが前後で重ならない状態(以降「第２演出状態」という)(図１０参照)とに変更することが可能である。これにより、第１演出状態とした場合には、第１表示装置１０３の表示部１０３ａでの演出および第２表示装置１０４の表示部１０４ａでの演出を重ねて表示可能となり、第２演出状態とした場合には、第１表示装置１０３の表示部１０３ａでの演出および第２表示装置１０４の表示部１０４ａでの演出を、異なる位置で表示可能となるよう構成されている。
【００３８】
(ベース体１０１について)
前記ベース体１０１は、図５〜図７に示すように、縦長の矩形状を基本として適宜部位を凹凸させた外縁輪郭形状の板状に構成されている。ベース体１０１の上下幅は、設置部材５０の設置壁部５１における上壁部５１ａの上下幅と略同じく、該ベース体１０１の左右幅は、該上壁部５１ａの左右幅の略１／２程度となっている(図４参照)。そしてベース体１０１は、前述したサイズに形成されたベース部材１１０と、該ベース部材１１０の上部前側に組付けられたカバー部材１１１とを備えている。ベース部材１１０は、図１２に示すように、ベース板部１１２と、このベース板部１１２から前方へ突出すると共に該ベース板部１１２の外縁に沿って延在する外縁リブ１１３とを備えている。またベース部材１１０は、ベース板部１１２の前面に、前方へ突出すると共に上下方向へ延在する補強リブ１１４や、前方へ延出すると共に左右方向へ延在する補強リブ１１４が、複数形成されている。これによりベース部材１１０は、外縁リブ１１３および補強リブ１１４により剛性の向上が図られており、撓み変形や捻れ変形が発現し難く構成されている。そして、外縁リブ１１３の外側には、ネジ挿通孔が形成された複数(実施例では６個)の取付片１１５が設けられている。各取付片１１５は、設置部材５０の設置壁部５１の前面に突設された各固定ボス６１(図４参照)と個別に対応しており、ネジ挿通孔に挿通させたネジを固定ボス６１のネジ締結孔へ締結することで、設置壁部５１の上壁部５１ａの前面にベース体１０１が取付けられる。
【００３９】
図７および図１２に示すように、前記ベース体１０１の前面における上下中央部に、回転可動体１０２が回転可能に配設される。また、ベース体１０１の前面における回転可動体１０２の配設部位の上方に、該回転可動体１０２を回転させる駆動機構１０６が配設されると共に、該ベース体１０１の前面における該回転可動体１０２の配設部位の下方に、前述した第２表示装置１０４が配設される。すなわち、ベース体１０１の前側には、駆動機構１０６、回転可動体１０２および第２表示装置１０４が、上下に並んで配設されるようになっている。なお、以降の説明においては、回転可動体１０２の配設部を第１配設部１１６、駆動機構１０６の配設部を第２配設部１１７、第２表示装置１０４の配設部を第３配設部１１８と指称する。一方、図７に示すように、ベース体１０１の後側において、回転可動体１０２の配設部位の後ろとなる位置に、後述する回転接続ユニット１６０を設置するためのユニット収容設置部１１９が設けられている。
【００４０】
(回転可動体１０２の支持構造について)
前記ベース体１０１の第１配設部１１６には、図１１(ａ)および図１２に示すように、回転可動体１０２を回転可能に支持する回転支持手段としての回転支持ホイール１２１,１２２,１２３が設けられている。回転支持ホイール１２１,１２２,１２３は、前後方向に延在する回転軸線Ｌ(図７、図１１参照)を中心とした回転可動体１０２の回転を許容しながら該回転可動体１０２を支持するよう構成したものである。回転支持ホイール１２１,１２２,１２３は、回転軸線Ｌを中心とする円の周方向へ所要間隔毎に複数設けられている。実施例では、回転軸線Ｌを中心する円上において、３つの回転支持ホイール１２１,１２２,１２３が周方向へ等間隔で配設されており、これにより回転可動体１０２は１２０°の間隔で３点支持されている。ここで、第１回転支持ホイール１２１は、回転軸線Ｌの垂直上方に設けられた支持軸１２４に回転自在に配設されている。第２回転支持ホイール１２２は、回転軸線Ｌの左斜め下方に設けられた支持軸１２５に回転自在に配設されていると共に、第３回転支持ホイール１２３は、該回転軸線Ｌの右斜め下方に設けられた支持軸１２６に回転自在に配設されている。すなわち、第２回転支持ホイール１２２および第３回転支持ホイール１２３は、第１回転支持ホイール１２１の回転軸１２４を通る垂直線に対して左右対称となる位置に配設されている。これにより、第２回転支持ホイール１２２および第３回転支持ホイール１２３が、回転可動体１０２の重量を実質的に受けるよう構成されている。
【００４１】
前記第１回転支持ホイール１２１は、図１１(ａ)および図１２に示すように、回転可動体１０２における後述するフランジ部１８５の前側に位置して該フランジ部１８５の前面に接触可能な第１前回転体１２１ａと、フランジ部１８５の後側に位置して該フランジ部１８５の後面に接触可能な第１後回転体１２１ｂとからなる。第１前回転体１２１ａと第１後回転体１２１ｂとの間には、回転可動体１０２のフランジ部１８５が嵌合する嵌合溝１２１ｃが形成されている。これにより、第１回転支持ホイール１２１は、第１前回転体１２１ａおよび第１後回転体１２１ｂにより、該フランジ部１８５の周方向への回転を許容すると共に、で該フランジ部１８５の前後方向の移動を規制可能に構成されている。なお、実施例では、第１後回転体１２１ｂが、前述した駆動機構１０６を構成する従動ギア１３９が兼用している。
【００４２】
前記第２回転支持ホイール１２２および第３回転支持ホイール１２３は、図１１(ａ)および図１２に示すように、同じ構成となっている。第２回転支持ホイール１２２および第３回転支持ホイール１２３は、回転可動体１０２のフランジ部１８５の前側に位置して該フランジ部１８５の前面に接触可能な円板状の第２前回転体１２２ａ,１２３ａと、フランジ部１８５の後側に位置して該フランジ部１８５の後面に接触可能な円板状の第２後回転体１２２ｂ,１２３ｂと、両回転体１２２ａ,１２２ｂ／１２３ａ,１２３ｂより小径に形成されて両回転体１２２ａ,１２２ｂ／１２３ａ,１２３ｂの間に介挿された第２中間回転体１２２ｃ,１２３ｃとから構成されている。従って、第２回転支持ホイール１２２および第３回転支持ホイール１２３は、フランジ部１８５が嵌合する嵌合溝１２２ｄ,１２３ｄが第２前回転体１２２ａ,１２３ａおよび第２後回転体１２２ｂ,１２３ｂの間に形成されており、該第２前回転体１２２ａ,１２３ａおよび第２後回転体１２２ｂ,１２３ｂで該フランジ部１８５の前後方向の移動を規制すると共に、第２中間回転体１２２ｃ,１２３ｃで該フランジ部１８５の外周端を当て受けるよう構成されている。そして、第２回転支持ホイール１２２を回転自在に支持する支持軸１２５の前端が、ベース部材１１０のベース板部１１２に固定される左支持部材１２７により保持されると共に、第３回転支持ホイール１２３を回転自在に支持する支持軸１２６の前端が、ベース体１０１のベース板部１１２に固定される右支持部材１２８により保持されている。
【００４３】
(第２配設部１１７について)
前記第２配設部１１７は、図６、図７および図１２に示すように、ベース部材１１０のベース板部１１２と、該ベース板部１１２と間隔をおいて該ベース板部１１２の前側に取付けられた前述のカバー部材１１１とで構成されている。ベース部材１１０のベース板部１１２とカバー部材１１１との間には、駆動機構１０６のギア列１３６を収容可能な空間が形成されている。そしてカバー部材１１１には、駆動機構１０６を構成する駆動手段としての駆動モータ１３５が設置されるモータ設置部１３０が設けられている。モータ設置部１３０には、駆動モータ１３５の駆動軸１３５ａが挿通可能な軸挿通口１３０ａが形成されている。また、ベース板部１１２には、中間ギア１３８を回転自在に支持するギア支持軸１３１が設けられている  
【００４４】
(駆動機構１０６について)
前記第２配設部１１７に配設される前記駆動機構１０６は、図１１および図１２に示すように、駆動手段としての駆動モータ１３５と、該駆動モータ１３５と回転可動体１０２とを連係する連係手段としてのギア列１３６とを備えている。駆動モータ１３５は、演出制御基板２９１の演出制御ＣＰＵ２９１ａにより駆動制御されるパルスモータ(ステッピングモータ)であり、減速ギアを介して駆動軸１３５ａが回転するよう構成されている。そして、駆動モータ１３５は、駆動軸１３５ａを後側に向けた姿勢でカバー部材１１１のモータ設置部１３０に対して前側から固定され、カバー部材１１１とベース板部１１２との間の空間へ駆動軸１３５ａが突出するようになる。また、ギア列１３６は、駆動モータ１３５の駆動軸１３５ａに固定された駆動ギア１３７と、該駆動ギア１３７に噛み合う中間ギア１３８と、該中間ギア１３８に噛み合うと共に、回転可動体１０２に設けられた回転ギア１８６に噛み合う従動ギア１３９とを備えている。駆動ギア１３７、中間ギア１３８および従動ギア１３９は、何れも平歯車である。中間ギア１３８は、ベース板部１１２に設けられた前述のギア支持軸１３１に回転自在に支持されている。また、従動ギア１３９は、前述したように、第１回転支持ホイール１２１の第１後回転体１２１ｂを兼用している。そして、前記演出制御基板２９１は、駆動モータ１３５を駆動するためのパルス信号を出力する駆動制御部を備え、演出制御ＣＰＵ２９１ａからの制御信号に基づいて、該駆動制御部から駆動モータ１３５へパルス信号が出力されるよう構成されている。そして、駆動制御部から出力されたパルス信号により駆動モータ１３５が正逆回転制御され、これにより駆動ギア１３７、中間ギア１３８および従動ギア１３９および回転ギア１８６が回転することで、回転可動体１０２が正逆回転するよう構成される。
【００４５】
(第３配設部１１８について)
前記第３配設部１１８は、図７および図１２に示すように、横長に構成された第２表示装置１０４を固定する一対の固定ステー１４０,１４０が、ベース部材１１０のベース板部１１２に取付けられている。各固定ステー１４０,１４０は、ベース体１０１に固定される取付部１４１と、該取付部１４１に一体に設けられた支持部１４２とを備えている。そして、各固定ステー１４０,１４０は、第２表示装置１０４の表示部１０４ａが前方斜め上方を向いた傾斜姿勢で、該第２表示装置１０４をベース体１０１に固定するようになっている。
【００４６】
(ユニット収容設置部１１９について)
前記ユニット収容設置部１１９は、図６〜図８に示すように、ベース体１０１における前記回転可動体１０２の配設側と反対側に、回転接続ユニット１６０を収容状態で設置可能な凹状に形成されている。このユニット収容設置部１１９は、ベース部材１１０のベース板部１１２において、回転可動体１０２の回転軸線Ｌを中心とした円形状をなして、該ベース板部１１２の前面よりも前側へ突出すると共に、該ベース板部１１２の後面よりも前側へ凹んだ凹部である。そして、ベース板部１１２の前面よりも前方(回転可動体１０２側)に位置するユニット収容設置部１１９の取付壁部１４５に、回転接続ユニット１６０が取付けられるようになっている。ここで、ユニット収容設置部１１９の前方への深さ(ベース板部１１２の後面から取付壁部１４５までの段差)は、回転接続ユニット１６０のケース体１６１の厚みＨ(図７参照)よりも大きく設定されている。これにより、ユニット収容設置部１１９の取付壁部１４５に回転接続ユニット１６０を設置した際には、該回転接続ユニット１６０がベース部材１１０の後面から後方へ突出しないようになっている。
【００４７】
図８および図１２に示すように、前記ユニット収容設置部１１９の取付壁部１４５には、回転接続ユニット１６０と回転可動体１０２とを連結するための開口部１４６が設けられている。この開口部１４６は、回転接続ユニット１６０を構成する回転部材１６２と、回転可動体１０２の回転ベース体１０１とを連結可能な大きさに開口している。実施例では、開口部１４６が、回転可動体１０２の回転軸線Ｌを中心とした円形に開口すると共に、回転接続ユニット１６０の円形の回転部材１６２の外径よりも大径に形成されている。
【００４８】
また、図６および図８に示すように、前記ユニット収容設置部１１９の取付壁部１４５には、回転接続ユニット１６０を保持する保持手段としての保持ボス１４７,１４７が設けられている。各保持ボス１４７,１４７は、前述した開口部１４６を挟んで、回転軸線Ｌを通る直線上に設けられている。各保持ボス１４７,１４７は、取付壁部１４５の外面から後方へ突出した円柱状のボスであって、該保持ボス１４７の突出端には、ネジが締結可能なネジ締結孔が形成されている。各保持ボス１４７,１４７は、回転接続ユニット１６０に設けられた貫通孔１６９ａ,１６９ａ(図８、図９(ａ)参照)に挿通すると共に、該貫通孔１６９ａ,１６９ａから突出する長さおよび太さに形成されている。なお、各保持ボス１４７,１４７のネジ締結孔には、ユニット収容設置部１１９の取付壁部１４５にセットした回転接続ユニット１６０をカバーするカバー部材１５０を取付けるネジが締結される(図８参照)。また、図６における符号１４８は、ユニット収容設置部１１９の取付壁部１４５に設置された回転接続ユニット１６０の側面に当接可能な保持リブである。
【００４９】
(センサ配設口１４９について)
実施例の可動演出装置１００では、図６に示すように、回転可動体１０２の回転位置を検出可能な検出手段としての検出センサ(第１検出センサ１５５および第２検出センサ１５６)を備えている。第１検出センサ１５５および第２検出センサ１５６は、演出制御基板２９１と電気的に接続されており、該検出センサ１５５,１５６の検出信号が該演出制御基板２９１に送信される。第１検出センサ１５５および第２検出センサ１５６は、ユニット収容設置部１１９の取付壁部１４５に着脱可能に設けられて、回転可動体１０２の回転ベース体１０１に設けられた検出片(検出部)１９６(図９(ａ)参照)を検出する。ユニット収容設置部１１９の取付壁部１４５にはセンサ配設口(検出手段配設部)１４９,１４９が設けられ(図８参照)、該センサ配設口１４９,１４９に設置した各検出センサ１５５,１５６が、該取付壁部１４５における回転可動体１０２の配設側(取付壁部１４５の前面側)へ臨むよう構成されている。各センサ配設口１４９,１４９は、前述した開口部１４６を挟んで、回転軸線Ｌを通る直線上に設けられている(図８参照)。また、各センサ配設口１４９,１４９の開口縁には、各検出センサ１５５,１５６の基板が嵌合する凹部１４９ａが設けられている。ここで、第１検出センサ１５５が設置されるセンサ配設口１４９は、回転可動体１０２が前述の第１演出状態に対応する第１演出位置(図３および図５参照)において、該第１検出センサ１５５が検出片１９６を検出可能な位置に設けられている。また、第２検出センサ１５６が設置されるセンサ配設口１４９は、前述の第２演出状態において、回転可動体１０２が第１演出位置から１８０度回転して上下逆向きとなった第２演出位置(図１０参照)において、該第２検出センサ１５６が検出片１９６を検出可能な位置に設けられている。従って、実施例の可動演出装置１００は、回転可動体１０２の第１演出位置および第２演出位置を認識可能となっている。
【００５０】
(カバー部材１５０について)
前記カバー部材１５０は、図６および図８に示すように、ユニット収容設置部１１９の取付壁部１４５に突設された保持ボス１４７,１４７のネジ締結孔に対して図示しないネジを締結することで、回転接続ユニット１６０の略全体を被覆した状態で該ユニット収容設置部１１９に配設される。カバー部材１５０は、回転接続ユニット１６０の略全体を被覆可能なカバー部１５１を備えている。カバー部１５１は、回転接続ユニット１６０のケース体１６１の裏面に当接可能な当接部１５１ａと、該当接部１５１ａの外縁から前方へ突出した囲い部１５１ｂとを備えている。また、カバー部１５１の当接部１５１ａには、各保持ボス１４７,１４７の先端に整合する位置に、前述した保持ボス１４７,１４７に締結されるネジを挿通するネジ挿通孔１５１ｃが形成されると共に、回転接続ユニット１６０に挿通された支持ピン１９２の先端が突入する開口１５１ｄが設けられている。また、カバー部材１５０のカバー部１５１には、センサ配設口１４９に配設した第１検出センサ１５５に当接する第１センサ保持部(検出手段保持部)１５２と、センサ配設口１４９に配設した第２検出センサ１５６に当接する第２センサ保持部(検出手段保持部)１５３とが一体に形成されている。
【００５１】
前述のように構成されたカバー部材１５０は、保持ボス１４７,１４７にネジ固定してユニット収容設置部１１９に配設することで、該ユニット収容設置部１１９に対して回転接続ユニット１６０を安定的に保持し得ると共に、該回転接続ユニット１６０を保護するようになっている。また、カバー部材１５０をユニット収容設置部１１９に配設することで、第１検出センサ１５５および第２検出センサ１５６を、各センサ配設口１４９,１４９に安定的に保持することができる。なお、ユニット収容設置部１１９に配設したカバー部材１５０は、ベース部材１１０のベース板部１１２の後面より後方へ突出しないようになっている(図７参照)。
【００５２】
(回転接続ユニット)
前記回転接続ユニット１６０は、ベース体１０１側に位置する制御部である前述の表示制御基板２９２と、回転可動体１０２に配設された電気部品である第１表示装置１０３とを電気的に接続するものである。回転接続ユニット１６０は、図８および図９(ａ)に示すように、ケース体１６１と、該ケース体１６１に回転可能に配設された回転部材１６２とを備えており、ケース体１６１がベース体１０１のユニット収容設置部１１９に取付けられると共に、回転部材１６２が回転可動体１０２と連係されるよう構成されている。従って、駆動機構１０６の駆動モータ１３５の駆動に伴って回転可動体１０２が回転することにより、ベース体１０１に取付けられたケース体１６１に対して回転部材１６２が回転するようになっている。ここで、回転接続ユニット１６０の回転部材１６２には、回転可動体１０２に設けられた第２連係部１９５,１９５に連係する第１連係部１６３,１６３が設けられている。なお、第１連係部１６３および第２連係部１９５の連係態様については、後で説明する。
【００５３】
前記回転接続ユニット１６０は、ケース体１６１側に、表示制御基板２９２に電気的に接続される第１導通部１６４が配設されると共に、回転部材１６２側に、第１表示装置１０３に電気的に接続される第２導通部１６５が配設されている。第１導通部１６４および第２導通部１６５は、電気が導通可能な金属製の端子部材であり、回転部材１６２の回転時には該第１導通部１６４および第２導通部１６５が常に接触した状態に維持されることで、電気的に導通が図られるよう構成されている。すなわち、回転接続ユニット１６０は、回転可動体１０２に回転時において表示制御基板２９２と第１表示装置１０３との電気的な接続状態を維持可能であるから、該回転可動体１０２の回転時においても表示制御基板２９２から第１表示装置１０３への電気の供給および信号の送信が可能となっている。
【００５４】
回転接続ユニット１６０の前記ケース体１６１は、図８〜図９(ａ)に示すように、回転部材１６２が配設されると共に、第１導通部１６４および第２導通部１６５が収容された収容部１６６と、該収容部１６６の外側に設けられた取付部１６７,１６７とを備えている。収容部１６６は、有底の円形筒状に形成されて、円形の開口部に回転部材１６２が位置している。また、収容部１６６の側面１６６ａには、第１導通部１６４に電気的に導通する第１コネクタ１６８が、該側面１６６ａから外方へ突出した状態に配設されている。また、収容部１６６の中心には、前方へ延在すると共に前後に開口した筒部１６６ｂが設けられており、回転可動体１０２から回転軸線Ｌに沿って後方へ延出した支持ピン１９２が挿通するようになっている。
【００５５】
前記取付部１６７,１６７は、収容部１６６の側面から外方へ延出した板状に形成され、該取付部１６７の延出端側に、保持部材１６９が配設されている。保持部材１６９は、弾力性を有する弾性部材であり、前述した保持ボス１４７が挿通可能な貫通孔１６９ａが形成されている。ここで、すなわち保持部材１６９は、ウレタンゴムや天然ゴム等から円形状に形成されて、取付部１６７に形成された円形凹部１６７ａに係合した状態で配設されている。従って、該保持部材１６９,１６９の貫通孔１６９ａに保持ボス１４７を挿通させて、ユニット収容設置部１１９の取付壁部１４５にケース体１６１を取付けた際には、各保持部材１６９,１６９の弾力性により、該ケース体１６１が取付壁部１４５に対して弾力的に支持されるようになっている。これにより、例えば回転する回転可動体１０２に振動が発生した場合には、回転接続ユニット１６０が取付壁部１４５に対して適宜姿勢変位することが可能となり、振動による負荷がケース体１６１と回転部材１６２とに加わることを防止し得るように構成されている。
【００５６】
前記回転接続ユニット１６０の回転部材１６２は、図９(ａ)および図９(ｂ)に示すように、円板状に形成されており、該回転部材１６２の外面(前面)１６２ａに、第２導通部１６５に電気的に接続された第２コネクタ１７０が、該外面１６２ａから外方に向けて突出した状態に配設されている。また、回転部材１６２の中心には、前後方向へ貫通する貫通孔１７１が形成されており、回転可動体１０２に設けられた前述の支持ピン１９２が挿通するようになっている。そして、回転部材１６２の外面１６２ａに、前述した第１連係部１６３,１６３が設けられている。ここで、実施例では、第１連係部１６３が、回転部材１６２の外面１６２ａから前方へ突出した突条部(凸部)である。そして、第１連係部１６３は、複数(実施例では２つ)が設けられている。各第１連係部１６３,１６３は、図９(ｂ)に示すように、支持ピン１９２が挿通する貫通孔１７１を通過する直線上から外れた位置において、該貫通孔１７１から半径方向外方へ離間した位置に突設されている。
【００５７】
(配線挿通部１７３について)
図６および図８に示すように、ベース体１０１におけるベース部材１１０の後面には、配線挿通部１７３が設けられている。この配線挿通部１７３は、ベース部材１１０のベース板部１１２の後面から前側へ凹み、ユニット収容設置部１１９とベース部材１１０の外縁との間に亘って延在する凹状部１７４と、該凹状部１７４におけるベース部材１１０の後面への開口部分を塞ぐ蓋部材１７５とにより画成されている。すなわち、配線挿通部１７３は、ユニット収容設置部１１９の壁部とベース部材１１０の外縁との間に亘って延在する空間である。配線挿通部１７３には、回転接続ユニット１６０の第１導通部１６４と表示制御基板２９２側とを電気的に接続する配線(第２の配線)ＷＨ１を通すことが可能となっている。また、配線挿通部１７３は、前述した第１検出センサ１５５と演出制御基板２９１とを電気的に接続する配線ＷＨ３や、第２検出センサ１５６と該演出制御基板２９１とを電気的に接続する配線ＷＨ４を通すことが可能となっている(図６参照)。
【００５８】
実施例では、図６および図８に示すように、前記配線挿通部１７３が複数(実施例では２つ)設けられている。このうち、一方の配線挿通部１７３は、回転接続ユニット１６０のケース体１６１の側面(収容部１６６の側面１６６ｂ)に設けられた第１コネクタ１６８と近接する部位において、ユニット収容設置部１１９に開口するように設けられている。すなわち、一方の配線挿通部１７３は、ユニット収容設置部１１９の周壁左縁(図８では右側)に開口すると共に、該開口部分から上方へ延在して、ベース部材１１０の上縁に開口している。これにより、表示制御基板２９２側に接続されると共に第１コネクタ１６８に接続される前記配線ＷＨ１が、配線挿通部１７３に通し易くなると共に、該配線ＷＨ１におけるユニット収容設置部１１９内に配設される部分を少なくすることが可能となっている。なお、一方の配線挿通部１７３には、第１検出センサ１５５の上方でユニット収容設置部１１９に開口しており、該第１検出センサ１５５の配線ＷＨ３も通し易くなっている。また、他方の配線挿通部１７３は、ユニット収容設置部１１９の周壁右縁(図８では左側)に開口すると共に、該開口部分から右方(図６では左方)へ延在して、ベース部材１１０の右縁に開口している。なお、他方の配線挿通部１７３には、第２検出センサ１５６の上方でユニット収容設置部１１９に開口しており、該第２検出センサ１５６の配線ＷＨ４を通し易くなっている。
【００５９】
(回転可動体１０２について)
前記回転可動体１０２は、図５、図７、図１０および図１１(ｂ)に示すように、ベース体１０１に対して、前後に延在する回転軸線Ｌを中心として回転可能に配設され、駆動機構１０６における駆動モータ１３５の駆動に伴って、回転軸線Ｌを中心として回転するよう構成されている。回転可動体１０２は、ベース部材１１０の第１配設部１１６に配設された前述の第１〜第３回転支持ホイール１２１,１２２,１２３により回転可能に支持された回転ベース体１８０と、該回転ベース体１８０に配設された第１表示装置１０３と、該回転ベース体１８０に配設されたハーフミラー部１０５とを備えている。また、回転可動体１０２には、第１表示装置１０３およびハーフミラー部１０５を囲むように構成されたフード１８１を備えている。
【００６０】
(回転ベース体１８０について)
前記回転ベース体１８０は、図７および図１２に示すように、第１〜第３回転支持ホイール１２１,１２２,１２３に支持される円板部材１８２と、該円板部材１８２の前側に固定された支持部材１８３とを備えている。円板部材１８２は、円形のリング状部材であり、支持部材１８３が取付けられる取付部１８４と、該取付部１８４の半径方向外側に設けられた前述のフランジ部１８５と、該フランジ部１８５の後側に設けられた前述の回転ギア１８６とを備えている。取付部１８４の内径は、ベース部材１１０に設けられたユニット収容設置部１１９の外径よりも僅かに大きく、該取付部１８４の内側にユニット収容設置部１１９が収容され得るようになっている。また、取付部１８４には、支持部材１８３に設けられたネジ締結孔に整合する複数(実施例では５個)のネジ挿通孔１８７が形成されており、後側から各ネジ挿通孔１８７に挿通したネジを支持部材１８３に締結することで、該支持部材１８３と円板部材１８２とが組付けられる。フランジ部１８５は、回転ギア１８６よりも大径であり、該回転ギア１８６よりも半径方向外側へ延出している。このフランジ部１８５は、第１〜第３回転支持ホイール１２１,１２２,１２３の嵌合溝１２１ｃ,１２２ｄ,１２３ｄに夫々嵌合することで３点支持され、円板部材１８２が前後方向への移動が規制された状態で回転可能に支持される。
【００６１】
前記支持部材１８３は、図７、図９(ａ)および図１２に示すように、円形の台座部１９０と、該台座部１９０の前面から前方へ突出した保持突部１９１とを備えている。台座部１９０の中心には、後方へ延出する支持ピン１９２が設けられている。この支持ピン１９２は、前述した回転接続ユニット１６０の挿通孔１７１および筒部１６８ｂに、前側から挿通されるようになっている。台座部１９０の後側には、円板部材１８２の取付部１８４に設けられた各ネジ挿通孔１８７に整合するネジ締結孔１９３が設けられている。また、台座部１９０の後側には、ユニット収容設置部１１９の取付壁部１４５に形成された開口部１４６に臨む位置に、該開口部１４６を囲む環状リブ１９４が、後方へ突出するように円形に形成されている。そして、台座部１９０の後側における環状リブ１９４で囲まれた内側には、第２連係部１９５,１９５が設けられている。この第２連係部１９５,１９５は、回転接続ユニット１６０の回転部材１６２に設けられた前述の第１連係部１６３,１６３と連係するようになっている。更に、台座部１９０の後側には、前述した第１検出センサ１５５および第２検出センサ１５６により検出可能な検出片１９６が設けられている。この検出片１９６は、回転可動体１０２が第１演出位置(図３、図５、図７参照)の場合に第１検出センサ１５５で検出されると共に、該回転可動体１０２が第２演出位置(図１０、図１１参照)の場合に第２検出センサ１５６で検出される位置に設けられている。すなわち、第１検出センサ１５５からの検出信号が演出制御基板２９１に送信された場合には、回転可動体１０２が第１演出位置にあることを演出制御基板２９１の演出制御ＣＰＵ２９１ａが認識可能であり、また第２検出センサ１５６からの検出信号が演出制御基板２９１に送信された場合には、回転可動体１０２が第２演出位置にあることを演出制御ＣＰＵ２９１ａが認識可能となっている。
【００６２】
前記台座部１９０の前側に突設された保持突部１９１は、図７および図１２に示すように、後述する上部カバー部材２４０が取付けられるようになっている。また、台座部１９０には、第１表示装置１０３に係止する係止部としての係止片１９７が、複数(実施例では２つ)設けられている。係止片１９７,１９７は、台座部１９０の中心を挟んで両側に位置すると共に、該台座部１９０の外縁に隣接する位置に夫々設けられている。各係止片１９７,１９７は、台座部１９０の前面から前方へ突出した鉤状に形成され、前端には上方へ突出した係止部が形成されている。これら係止片１９７,１９７は、第１表示装置１０３のケース体２３０に設けられた係止凹部２３５,２３５に係止するよう構成されている。また、各係止片１９７の上方には、ネジ締結孔が形成されたネジ締結ボス１９８,１９８が、前方へ突出するように形成され、第１表示装置１０３のケース体１６１に設けられた取付片２３６,２３６(図１２参照)に挿通したネジが、該ネジ締結ボス１９８,１９８に締結されるようになっている。更に、台座部１９０には、前述した環状リブ１９４の内側において前後に開口する配線挿通口１９９が形成されている(図９(ａ)参照)。
【００６３】
(ハーフミラー部１０５について)
前記ハーフミラー部１０５は、図５、図７および図１４に示すように、透明板２０１と、該透明板２０１の一面に配設されたミラーフィルム２０２とを備えており、該ミラーフィルム２０２が反射面２０３を構成している。このハーフミラー部１０５は、第１表示装置１０３の表示部１０３ａより大きく、かつ第２表示装置１０４の表示部１０４ａよりも大きく、回転可動体１０２の第１演出位置においては該第２表示装置１０４の表示部１０４ａの全体を隠し得るサイズとなっている(図３、図７参照)。そして、ハーフミラー部１０５の左側縁部１０５ａに、フード１８１を構成する第１側壁部材(第１壁部)２１１に連結される左連結部２０４が設けられると共に、該ハーフミラー部１０５の右側縁部１０５ｂに、該フード１８１を構成する第２側壁部材(第１壁部)２１２に連結される右連結部２０５が設けられている。左連結部２０４および右連結部２０５の夫々は、ハーフミラー部１０５の側端部から突出した複数(実施例では２つ)のボスであり、左右の連結部２０４,２０５の突出端にはネジ締結孔が設けられている。
【００６４】
そして、ハーフミラー部１０５は、図７に示すように、フード１８１の第１側壁部材２１１および第２側壁部材２１２で左、右側縁部２０４,２０５が支持された状態で、第１表示装置１０４の表示部１０４ａに対向すると共に、回転可動体１０２の第１演出位置において前下がりに傾斜した姿勢で回転ベース体１８０に配設されている。ここで、実施例では、ハーフミラー部１０５の傾斜角度が、水平に対して約３０〜４０°の範囲で所定角度となるように設定されている。なお、ハーフミラー部１０５の前縁部１０５ｃは、前方へ凸となる曲線状に形成されている。また、透明板２０１の他面(ミラーフィルム２０２が配設された反射面２０３と反対側)には、左側縁部１０５ａ、後縁部および右側縁部１０５ｂに亘って延在するリブ２０６が形成されており(図７参照)、該透明板２０１の捻れや撓みが発現し難く構成されている。
【００６５】
(フード１８１について)
前記フード１８１は、図５および図７に示すように、筒体状に構成されて、第１表示装置１０３とハーフミラー部１０５の間に配設されている。フード１８１の第１表示装置１０３側は、該第１表示装置１０３の表示部１０３ａを四方から囲んでおり、ハーフミラー部１０５側は、該ハーフミラー部１０５の三方を囲んでいる。また、フード１８１のハーフミラー部１０５側は、該ハーフミラー部１０５の前側部分が開口している。従って、フード１８１は、パチンコ機１０の前側から、第１表示装置１０３を直接視認不能とすると共に、ハーフミラー部１０５を常に直接視認可能に構成されている。すなわちフード１８１は、第１表示装置１０３の表示部１０３ａとハーフミラー部１０５との間の領域を囲んで、外部からの光が該表示部１０３ａに直接当たるのを防止する。これによりフード１８１は、第１表示装置１０３の表示部１０３ａの表示を鮮明にすると共に、該表示部１０３ａの表示がハーフミラー部１０５で好適に反射表示されるように機能する。このようなフード１８１は、図５、図７および図１４に示すように、回転可動体１０２の第１演出位置において、左側に位置する第１側壁部材２１１と、右側に位置する第２側壁部材２１２と、後側に位置する後壁部材２１３と、前側に位置する前壁部材(第２壁部)２１４を備え、各壁部材２１１,２１２,２１３,２１４を筒状になるよう配置することで第１表示装置１０３およびハーフミラー部１０５を囲んでいる。なお、フード１８１は、第１表示装置１０３側からハーフミラー部１０５に近づくにつれて徐々に拡大する角筒形状となっている。
【００６６】
(第１側壁部材２１１および第２側壁部材２１２について)
前記第１側壁部材２１１および第２側壁部材２１２は、図５、図７および図１４に示すように、左右対称の略台形状に形成されている。第１側壁部材２１１および第２側壁部材２１２は、略平行に延在する２つの縁部が前後に位置し、該平行な縁部における相対的に短い縁部が、後側(回転ベース体１８０側)に位置して後縁部２１１ａ,２１２ａとなると共に、後縁部２１１ａ,２１２ａより長い縁部が前側に位置して前縁部２１１ｂ,２１２ｂとなり、前縁部２１１ｂ,２１２ｂの下端が後縁部２１１ａ,２１２ａの下端よりも下方に位置している。そして、後縁部２１１ａ,２１２ａの下端と前縁部２１１ｂ,２１２ｂの下端とを繋ぐ斜縁部が、前方に行くにつれて斜め下方に延在する下縁部２１１ｃ,２１２ｃとなっている。また、後縁部２１１ａ,２１２ａの上端と前縁部２１１ｂ,２１２ｂの上端とを繋ぐ縁部が、略水平に延在する上縁部２１１ｄ,２１２ｄとなっている。ここで、第１側壁部材２１１および第２側壁部材２１２の上部に、上縁部２１１ｄ,２１２ｄから上方へ延出すると共に前後に延在する取付部２１５,２１５が連設されており、該取付部２１５,２１５は、第１表示装置１０３のケース体２３０の側部に組付けられるよう構成されている(図１２参照)。
【００６７】
図１４に示すように、第１側壁部材２１１および第２側壁部材２１２に設けられた取付部２１５,２１５の内面側には、第１凹部２１６が複数(実施例では２つ)形成されている。各第１凹部２１６は、第１表示装置１０３のケース体２３０に設けられた各第１固定ボス２３３が夫々嵌合するようになり、該第１凹部２１６には、該第１固定ボス２３３に締結されるネジの挿通孔が設けられている。また、第１側壁部材２１１の後縁部２１１ａおよび第２側壁部材２１２の内面側における後縁部２１２ａに沿う部位には、第２凹部２１７が複数(実施例では２つ)形成されている。各第２凹部２１７には、後壁部材２１３に設けられた第１後連結ボス２２０または第２後連結ボス２２１が嵌合するようになり、該第２凹部２１７には、該第１後連結ボス２２０または第２後連結ボス２２１に締結されるネジの挿通孔が設けられている。更に、第１側壁部材２１１の内面側における下縁部２１１ｃに沿う部位、および第２側壁部材２１２の内面側における下縁部２１２ｃに沿う部位には、第３凹部２１８が複数(実施例では２つ)形成されている。第１側壁部材２１１の各第３凹部２１８には、ハーフミラー部１０５の左側縁部１０５ａに設けられた左連結部２０４,２０４が嵌合するようになり、該第３凹部２１８には、該左連結部２０４に締結されるネジの挿通孔が設けられている。また、第２側壁部材２１２の各第３凹部２１８には、ハーフミラー部１０５の右側縁部１０５ｂに設けられた右連結部２０５,２０５が嵌合するようになり、該第３凹部２１８には、該右連結部２０５に締結されるネジの挿通孔が設けられている。なお、第１側壁部材２１１および第２側壁部材２１２は、フード１８１の外側となる外面に、所要の意匠模様が形成されていると共に(図５参照)、該フード１８１の内側となる内面には、上下方向に延在する補強リブ２２２が形成されている(図５、図７参照)。
【００６８】
(後壁部材２１３について)
前記後壁部材２１３は、図１４に示すように、左右方向が長手となる横長の略台形状に形成されている。後壁部材２１３は、略平行に延在する２つの縁部が上下に位置し、該平行な縁部における相対的に短い縁部が上側(第１表示装置１０３側)に位置して上縁部２１３ａとなると共に、上縁部２１３ａよりも長い下側の縁部が下縁部２１３ｂとなっている。そして、上縁部２１３ａの左端と下縁部２１３ｂの左端とを繋ぐ左縁部２１３ｃが、下方に行くにつれて斜め左下方に延在すると共に、上縁部２１３ａの右端と下縁部２１３ｂの右端とを繋ぐ右縁部２１３ｄが、下方に行くにつれて斜め右下方に延在している。後壁部材２１３は、その上縁部２１３ａから下縁部２１３ｂまでの上下幅が、第１側壁部材２１１および第２側壁部材２１２の後縁部２１１ａ,２１２ａの上下長と略同じ長さに設定されている。また、後壁部材２１３の左縁部２１３ｃに、２つの第１後連結ボス２２０が、上下に離間した位置で左外方へ突出するよう形成されている。各第１後連結ボス２２０,２２０は、第１側壁部材２１１の後縁部２１１ａに沿う部位に形成された前述の第２凹部２１７,２１７に夫々嵌合する。更に、後壁部材２１３の右縁部２１３ｄに、２つの第２後連結ボス２２１が、上下に離間した位置で右外方へ突出するよう形成されている。各第２後連結ボス２２１,２２１は、第２側壁部材２１２の後縁部２１２ａに沿う部位に形成された前述の第２凹部２１７,２１７に夫々嵌合する。
【００６９】
(前壁部材２１４について)
前記前壁部材２１４は、図７および図１４に示すように、左右方向が長手となる横長の略台形状に形成されている。前壁部材２１４は、前部カバー体２５０の後側に取付けられ、回転ベース体１８０に取付けた第１表示装置１０３に該前部カバー体２５０を取付けることで、第１側壁部材２１１の前縁部２１１ｂ,２１２ｂおよび第２側壁部材２１２の前縁部２１１ｂ,２１２ｂに当接するようになっている。前壁部材２１４は、略平行に延在する２つの縁部が上下に位置し、該平行な縁部における相対的に長い縁部が上側(第１表示装置１０３側)に位置して上縁部２１４ａとなると共に、該上縁部２１４ａよりも短い下側の縁部が下縁部２１４ｂとなっている。そして、上縁部２１４ａの左端と下縁部２１４ｂの左端とを繋ぐ左縁部２１４ｃが、下方に行くにつれて斜め右下方に延在すると共に、左方へ凸となる円弧状になっている。また、上縁部２１４ａの右端と下縁部２１４ｂの右端とを繋ぐ右縁部２１４ｄが、下方に行くにつれて斜め左下方に延在すると共に、右方へ凸となる円弧状になっている。そして、前壁部材２１４は、その上縁部２１４ａから下縁部２１４ｂまでの上下幅が、後壁部材２１３の上下幅よりも小さく設定されている(図７参照)。更に、前壁部材２１４の前面には、前部カバー体２５０に嵌合する嵌合部２２５が、複数(実施例では３つ)設けられている(図１２参照)。各嵌合部２２５には、前後に貫通したネジ挿通孔が形成されており、該ネジ挿通孔に対して後側から挿入したネジを前部カバー体２５０に締結することで、当該前壁部材２１４が前部カバー体２５０の後側に取付けられる。
【００７０】
(第１表示装置１０３について)
前記第１表示装置１０３は、表示制御基板２９２の表示制御ＣＰＵ２９２ａにより制御される。実施例では、表示部１０３ａとして、液晶タイプの表示ディスプレイ(以降「液晶ディスプレイ」という)２２９が採用されている。すなわち、第１表示装置１０３は、液晶ディスプレイ２２９からなる表示部１０３ａにおいて、各種の画像(イラスト、文字、記号等)や、動画および映像等の表示が可能となっている。第１表示装置１０３は、図７および図１４に示すように、表側に長方形の表示面が設けられた液晶ディスプレイ２２９と、該液晶ディスプレイ２２９を収容して保持するケース体２３０とを備えている。また、第１表示装置１０３は、液晶ディスプレイ２２９を駆動する液晶制御基板２３９をケース体２３０内に備えていると共に、該液晶制御基板２３９に接続された配線ＷＨ５と表示制御基板２９２側に接続された配線(第１の配線)ＷＨ２とが接続される中継基板２３８を備えている。
【００７１】
前記第１表示装置１０３のケース体２３０は、図７および図１４に示すように、第１ケース部材２３１および第２ケース部材２３２を備え、該第１ケース部材２３１と第２ケース部材２３２とを組付けることで、液晶ディスプレイ２２９および液晶制御基板２３９を収容する空間が内部に画成される。第１ケース部材２３１には、液晶ディスプレイ２２９の表示面を外方へ露出させて表示部１０３ａを画成する矩形状の表示開口２３１ａが形成されている。また、第１ケース部材２３１の外縁には、外方に開口した係止凹部２３５,２３５が設けられ、回転ベース体１８０の支持部材１８３に設けられた前述の係止片１９７,１９７が、各係止凹部２３５,２３５に係止可能となっている。一方、第２ケース部材２３２の外面には、中継基板２３８が取付けられるボス２３２ａが形成されていると共に、該中継基板２３８と液晶制御基板２３９とを接続する配線ＷＨ５(図７参照)を挿通する開口２３２ｂが形成されている。また、第２ケース部材２３２の外縁には、ネジ挿通孔が形成された取付片２３６,２３６が設けられ、該取付片２３６,２３６のネジ挿通孔に挿通したネジを、回転ベース体１８０の支持部材１８３に形成されたネジ締結ボス１９８,１９８に締結するようになっている。
【００７２】
また、図１４に示すように、第１表示装置１０３のケース体２３０には、フード１８１を取付けて固定する固定手段としての第１固定ボス２３３が設けられている。実施例では、長矩形状のケース体２３０における第２ケース部材２３２の長手方向の両側面に、複数(実施例では２つずつ)の第１固定ボス２３３が設けられている。各第１固定ボス２３３の先端には、ネジ締結孔が設けられている。また、第１表示装置１０３のケース体２３０には、前部カバー体２５０を取付けて固定する固定手段としての第２固定ボス２３４が設けられている。実施例では、ケース体２３０の第２ケース部材２３２における長手方向の両側面において、第１固定ボス２３３から離間した位置に、第２固定ボス２３４が夫々１つずつ設けられている。各第２固定ボス２３４の先端には、ネジ締結孔が設けられている。
【００７３】
前述のように構成された第１表示装置１０３は、図７および図１４に示すように、回転ベース体１８０の支持部材１８３の前面に対して、ケース体２３０における短手方向の一側面である底部を当接させた姿勢で、該支持部材１８３に配設される。すなわち、ケース体２３０に設けられた各係止凹部２３５,２３５に、支持部材１８３に設けられた各係止片１９７,１９７を係止させると共に、ネジにより各取付片２３６,２３６をネジ締結ボス１９８,１９８に締結することで、第１表示装置１０３が支持部材１８３に取付けられる。これにより、第１表示装置１０３は、支持部材１８３の前面に対して垂直に起立して前方へ延出した状態に取付けられ、演出が行われる表示部１０３ａが、回転軸線Ｌが延在する前後方向と交差する方向に向いた姿勢で配設されている。また、第１表示装置１０３は、図７に示すように、回転可動体１０２の回転軸線Ｌに位置する支持ピン１９２と前後方向で重なる位置に配設されている。そして、図７に示す第１演出位置では、第１表示装置１０３の表示部１０３ａが下方に向き、図１０および図１１に示す第２演出位置では、該表示部１０３ａが上方に向くように構成され、回転ベース体１８０の回転に伴って姿勢変位が可能となっている。
【００７４】
(第１表示装置１０３の表示態様について)
前述のように構成された第１表示装置１０３は、表示制御基板２９２の表示制御ＣＰＵ２９２ａによる表示制御に基づいて、表示部１０３ａをなす液晶ディスプレイ２２９の表示内容が制御される。ここで、表示制御ＣＰＵ２９２ａは、回転可動体１０２の第１演出位置では、第１表示装置１０３の下方に位置するハーフミラー部１０５において、上下が正規の向きとなる正位置表示となるように液晶ディスプレイ２２９の演出表示の向きを制御する。また、表示制御ＣＰＵ２９２ａは、図１０および図１１に示す回転可動体１０２の第２演出位置では、第１表示装置１０３の上方に位置するハーフミラー部１０５において、上下が正規の向きとなる正位置表示となるように液晶ディスプレイ２２９の演出表示の向きを制御したり、１８０°回転して上下が逆向きとなる逆位置表示となるように液晶ディスプレイ２２９の演出表示の向きを制御することが可能となっている。
【００７５】
(上部カバー部材２４０について)
前記上部カバー部材２４０は、図５、図７および図１４に示すように、外壁部２４１と、該外壁部２４１に一体的に形成された取付壁部２４２とを備えている。この上部カバー部材２４０は、回転ベース体１８０の支持部材１８３の前側において、第１表示装置１０３を挟んでフード１８１と反対側に配設される。外壁部２４１は、円形の支持部材１８３の外周縁に沿って延在する曲率で湾曲した半樋状に形成されており、湾曲方向における一方の縁部は、フード１８１における第１側壁部材２１１の上縁部２１１ｄと整合すると共に、湾曲方向における他方の縁部は、該フード１８１における第２側壁部材２１２の上縁部２１２ｄと整合するようになっている。そして、外壁部２４１の外面には、フード１８１の第１側壁部材２１１の外面および第２側壁部材２１２の外面に形成された意匠と連続性のある意匠が形成されている。
【００７６】
図７および図１４に示すように、前記上部カバー部材２４０の取付壁部２４２は、湾曲した外壁部２４１の内面側において、該外壁部２４１に一体に形成されている。取付壁部２４２には、回転ベース体１８０の支持部材１８３に設けられた保持突部１９１が嵌合する保持凹部２４３が、後方へ開口した状態に形成されている。従って、保持凹部２４３を保持突部１９１に嵌合させると共に、ネジにより該保持凹部２４３を保持突部１９１に固定することにより、上部カバー部材２４０が回転ベース体１８０の前側に配設される。また、保持凹部２４３の側部には、第１表示装置１０３側へ突出するリブ２４４,２４４が設けられている。これらリブ２４４,２４４は、支持部材１８３に設けられた配設挿通口１９９を挟んだ両側に位置している。これにより、回転ベース体１８０の回転時に、配線挿通口１９９に挿通されて中継基板２３８に接続される配線ＷＨ２(図７参照)がリブ２４４に接触した場合に、該リブ２４４により該配線ＷＨ２の動きを規制可能となっている。
【００７７】
(前部カバー体２５０について)
前記前部カバー体２５０は、図５、図７、図１２および図１４に示すように、回転ベース体１８０の支持部材１８３に取付けられた第１表示装置１０３、フード１８１および上部カバー部材２４０の前側に配設されている。この前部カバー体２５０は、第１表示装置１０３と、フード１８１の前壁部材２１４と、上部カバー部材２４０の取付壁部２４２とを、前側から視認不能に覆うようになっている。具体的に、前部カバー体２５０は、リング状に形成された第１前装飾部材２５１と、該第１前装飾部材２５１の開口部分に装着される第２前装飾部材２５２とを備えている。第１前装飾部材２５１は、前面に所要の意匠が形成されていると共に、後方へ突出した取付突部２５１ａ,２５１ａが左縁部および右縁部に形成されている。これら取付突部２５１ａ,２５１ａには、第１表示装置１０３のケース体２３０における両側部に設けられた前述の第２固定ボス２３４,２３４に締結されるネジのネジ挿通孔が形成されている。すなわち、前部カバー体２５０は、第１前装飾部材２５１の取付突部２５１ａ,２５１ａを第１表示装置１０３のケース体２３０に固定することで、該第１表示装置１０３および上部カバー部材２４０の前側に配設される。また、第１前装飾部材２５１は、フード１８１に取付けられたハーフミラー部１０５の前側となる部分が切り欠かれており、該第１前装飾部材２５１の下縁２５１ｂは略直線となっている(図５、図７参照)。これにより、第１前装飾部材２５１の下縁２５１ｂは、ハーフミラー部１０５の後縁よりも上方に位置しており、前部カバー体２５０とハーフミラー部１０５とは前後方向において重ならないよう構成されている。
【００７８】
前記第２前装飾部材２５２は、図７、図１２および図１４に示すように、前後に組合わされる複数(実施例では３つ)からなり、組合わせた状態で略円形に構成されている。第２前装飾部材２５２は、各部材が異なる色に形成されており、夫々の部材の一部が、第１前装飾部材２５１の開口から露出して視認されるように構成されている。各部材を組合わせた第２前装飾部材２５２は、第１前装飾部材２５１の後側にネジにより取付けられ、該第１前装飾部材２５１の開口を介して前方に露出して、所定の意匠模様が形成されている。また、第２前装飾部材２５２の後側下部に、前述したフード１８１の前壁部材２１４が取付けられている(図７参照)。
【００７９】
(第２表示装置１０４について)
前記第２表示装置１０４は、図７および図１０に示すように、表示制御基板２９２の表示制御ＣＰＵ２９２ａにより制御される表示部１０４ａを備えている。実施例では、表示部１０４ａとして、複数(実施例では７個)のセグメント２５６が組となるセグメントタイプの表示ディスプレイ(以降「７セグメントディスプレイ」という)２５５を備え、該７セグメントディスプレイ２５５がケース体２６１内に収容されている。７セグメントディスプレイ２５５は、７個のセグメント２５６を１組として十進のアラビア数字等を表示可能であり、７個のセグメント２５６からなる組が左右に並んで複数(実施例では３組)が配列されている。従って、第２表示装置１０４の表示部１０４ａは、３列(左列、中列、右列)の「０」〜「９」の数字を図柄として、各列の図柄を変動表示すると共に停止表示する図柄変動演出を実行することが可能となっている。
【００８０】
前記７セグメントディスプレイ２５５は、図７に示すように、３組の各セグメント２５６を画成する区画部材２５８と、該区画部材２５８の後側に配設される発光表示基板２５７と、該区画部材２５８の前側に配設されるレンズ部材２５９とを備えている。また、７セグメントディスプレイ２５５は、区画部材２５８と発光表示基板２５７との間に、光拡散シート２６０が配設されている。区画部材２５８は、長六角形状をなす各セグメント２５６の形状を規定する開口２５８ａが、厚み方向に複数(実施例では、３組×７個＝２１個)形成されている。
【００８１】
前記発光表示基板２５７は、図７に示すように、区画部材２５８に対向する表面に、各セグメント２５６毎に対応するＬＥＤチップ２５７ａが実装されている。各ＬＥＤチップ２５７ａは、表示制御基板２９２の表示制御ＣＰＵ２９２ａにより個別に発光制御される。実施例では、各セグメント２５６毎に１個ずつのＬＥＤチップ２５７ａが実装されており、各ＬＥＤチップ２５７ａは、区画部材２５８の各開口２５８ａの長手方向の中央において、当該開口２５８ａの後側開口に位置するようになっている。従って、ＬＥＤチップ２５７ａが発光すると、対応する開口２５８ａ内だけが明るくなり、長六角形状のセグメント２５６が明輝ようになる。なお、発光表示基板２５７の前側に光拡散シート２６０が配設されていることで、ＬＥＤチップ２５７ａの発光した際に光が拡散されるようになり、区画部材２５８の前側において、ＬＥＤチップ２５７ａが点状に発光しても、開口２５８ａの後側開口の全体を略均一に明輝させ得る。
【００８２】
前記レンズ部材２５９は、半透明またはスモークの成形部材であって、表面が磨りガラス状に処理されていると共に、裏面が凹凸状に形成されている。従って、レンズ部材２５９は、区画部材２５８および発光表示基板２５７のＬＥＤチップ２５７ａを透視不能に構成されている。また、発光した発光表示基板２５７のＬＥＤチップ２５７ａの光を、好適に透過させ得る。
【００８３】
前記第２表示装置１０４のケース体２６１は、図７および図１１に示すように、第１ケース部材２６２および第２ケース部材２６３を備え、該第１ケース部材２６２と第２ケース部材２６３とを組付けることで、７セグメントディスプレイ２５５の発光表示基板２５７、区画部材２５８およびレンズ部材２５９を収容する空間が内部に画成される。第１ケース部材２６２は、レンズ部材２５９を前方へ露出させる表示開口２６２ａが前側に形成されている(図１０参照)。一方、第２ケース部材２６３の後面は、発光表示基板２５７の裏面を外方へ露出させる開口２６３ａが形成されており、該発光表示基板２５７の裏面に配設されたコネクタ２５７ｂを、ケース体２６１の後側へ露出させ得る(図１１(ｂ)参照)。
【００８４】
また、図１１および図１２に示すように、第２表示装置１０４のケース体２６１には、ベース体１０１のベース部材１１０における第３配設部１１８に配設される左右一対の各固定ステー１４０,１４０に連結される連結ボス２６４が設けられている。実施例では、第２ケース部材２６３における左右両側面に、連結ボス２６４が夫々２つずつ設けられている。各連結ボス２６４は、固定ステー１４０,１４０の支持部１４２に連結され、ネジ締結孔が先端に設けられている。従って、第２表示装置１０４は、第２ケース部材２６３の左側面に設けられた各連結ボス２６４を、左の固定ステー１４０の支持部１４２にネジで固定すると共に、該第２ケース部材２６３の右側面に設けられた各連結ボス２６４を、右の固定ステー１４０の支持部１４２にネジで固定することで、表示部１０４ａが前方斜め上方を向いた傾斜姿勢でベース体１０１に配設される。
【００８５】
(第１連係部１６３および第２連係部１９５について)
次に、ベース体１０１のユニット収容設置部１１９に配設された回転接続ユニット１６０の回転部材１６２と、該ベース体１０１の前側に配設された回転可動体１０２との連係態様について、図９(ａ)および図９(ｂ)を引用して説明する。実施例の可動演出装置１００は、前述したように、回転接続ユニット１６０の回転部材１６２に設けられた第１連係部１６３,１６３と、回転可動体１０２の回転ベース体１８０の支持部材１８３に設けられた第２連係部１９５,１９５とが係合することで、該回転部材１６２と回転可動体１０２とが連係している。そして、第１連係部１６３,１６３と第２連係部１９５,１９５との係合により、回転可動体１０２の回転に連動して回転部材１６２がケース体１６１に対して回転するよう構成されている。そして、第１連係部１６３,１６３と第２連係部１９５,１９５は、回転軸線Ｌで回転する回転可動体１０２および回転部材１６２の回転方向において、該回転可動体１０２および回転部材１６２の相対的な位置変位を規制するように係合可能に構成されている。また、第１連係部１６３,１６３と第２連係部１９５,１９５は、回転軸線Ｌに沿う前後方向の相対的な位置変位が許容されると共に、該回転軸線Ｌと交差する方向の相対的な位置変位が許容されるように係合可能に校正されている。
【００８６】
前記第１連係部１６３は、図９(ａ)および図９(ｂ)に示すように、回転部材１６２における前側を指向する外面１６２ａに、該外面１６２ａから、対応する第２連係部１９５に向けて突出した突条部である。具体的に、第１連係部１６３は、回転部材１６２の外面１６２ａに対して鉛直に突出したボス状に形成されている。そして、第１連係部１６３は、回転部材１６２の外面に対する突出方向と直交する方向の断面形状が、円形となった丸ボス状に構成されている。また、２つの第１連係部１６３,１６３は、回転部材１６２の直径方向において、支持ピン１９２が挿通する貫通孔１７１を通過する直線上から外れた位置において、該貫通孔１７１から半径方向外方へ離間した位置に突設されている。すなわち、２つの第１連係部１６３,１６３は、回転部材１６２の直径方向において、貫通孔１７１を通過する直線上には位置していない。
【００８７】
前記第２連係部１９５は、図９(ａ)および図９(ｂ)に示すように、第１連係部１６３の差し込みを許容する凹部に構成されている。すなわち、第２連係部１９５は、回転ベース体１８０の支持部材１８３の後面から後方へ突出したリブ１９５ａにより、回転部材１６２側へ開口すると共に、該回転部材１６２から離間する方向(前方)へ凹んだ形状となっている。そして、図９(ｂ)に示すように、第２連係部１９５は、回転部材１６２の直径方向(回転軸線Ｌと直交方向)での開口幅Ｗ２が、直径方向での第１連係部１６３の突出幅Ｗ１より幅広に形成されている。すなわち、第２連係部１９５は、回転部材１６２の直径方向が長手となる長溝に形成されている。そして、２つの第２連係部１９５,１９５は、回転部材１６２の直径方向(支持部材１８３の直径方向)において、支持ピン１９２を通過する直線上から外れた位置において、該支持ピン１９２から半径方向外方へ離間した位置に突設されている。すなわち、２つの第２連係部１９５,１９５は、回転部材１６２の直径方向において、支持ピン１９２を通過する直線上には位置していない。これにより、各第２連係部１９５,１９５の長手方向は、一直線になっていない(図９(ｂ)参照)
【００８８】
これにより、第１連係部１６３および第２連係部１９５は、回転部材１６２の直径方向において、相対的な位置変位が可能に嵌合している。すなわち、回転接続ユニット１６０および回転可動体１０１は、回転部材１６２の直径方向における相対的な位置変位が可能に連係されている。また、第１連係部１６３および第２連係部１９５により連係された回転接続ユニット１６０および回転可動体１０１は、回転部材１６２の回転方向(回転可動体１０１の回転方向)における相対的な位置変位が不能に連係される。更に、各第２連係部１９５.１９５の長手方向が一致していないことにより、該第２連係部１９５.１９５に対して第１連係部１６３,１６３が移動した際には、回転接続ユニット１６０および回転可動体１０１は、回転部材１６２の外面１６２ａの面方向(回転軸線Ｌと直交方向)へ相対位置が変位可能に連係されている。
【００８９】
従って、実施例の可動演出装置１００は、例えば、回転する回転可動体１０１が回転部材１６２の直径方向へ振れて振動が発生した場合に、第１連係部１６３と第２連係部１９５との相対位置が変位することで、回転接続ユニット１６０に負荷がかかることを防止し得るようになっている。すなわち、回転可動体１０１の振動等を原因として、回転接続ユニット１６０の回転部材１６２がケース体１６１に対してずれること等が防止されるので、該回転接続ユニット１６０の第１導通部１６４と第２導通部１６５との接続不良や、該回転接続ユニット１６０の故障等を誘発し難く構成されている。
【００９０】
(発光演出装置２７０について)
前記発光演出装置２７０は、図４に示すように、設置部材５０における設置壁部５１の前側において、回転可動体１０２における回転ベース体１８０の周囲に位置するように配設されている。そして、発光演出装置２７０は、回転可動体１０２に配設されたハーフミラー部１０５の後側において、該回転可動体１０２が回転する際に該ハーフミラー部１０５が移動する領域と前後方向において重なる装置である。実施例の発光演出装置２７０は、図１３に示すように、回転可動体１０２の回転軸線Ｌを中心とした環状に湾曲すると共に、下側部分が開口した所謂倒伏「Ｃ」形に構成されている。そして、発光演出装置２７０は、設置部材５０における設置壁部５１の前側に回転可動体１０２が配設された状態で該設置壁部５１に取付けられ、回転可動体１０２のベース体１０１と一部が前後に重なると共に、下側の開口部分に第２表示装置１０４が整合する。
【００９１】
前記発光演出装置２７０は、図３、図５〜図７および図１３に示すように、円弧状に形成された本体部材２７１と、該本体部材２７１の内部に配設された発光演出基板２７２と、該本体部材２７１の前側に配設されたレンズ部材２７３とを備えている。本体部材２７１は、円弧状に湾曲すると共に前方へ延出した外壁部２７４と、該外壁部２７４の前縁から半径方向内側へ延出した前壁部２７５とを備えている。前壁部２７５は、外壁部２７４の前縁から、半径方向内側にいくにつれて後方へ変位する傾斜状に形成されており、該前壁部２７５の内縁が、回転可動体１０２における回転ベース体１８０の外側に位置している。すなわち、外壁部２７４は、所謂すり鉢状に形成されている。前壁部２７５には、複数(実施例では１０個)の発光表示部(発光手段)２７６が、ハーフミラー部１０５の移動方向へ並んで配列されている。また、前壁部２７５には、周方向に隣接する発光表示部２７６,２７６の間に装飾部材２７７が配設され、隣接する発光表示部２７６,２７６は、該装飾部材２７７により区切られている。また、本体部材２７１の外壁部２７４には、該外壁部２７４と一体または別体の取付片２７９が複数設けられており、当該本体部材２７１は、取付片２７９を設置部材５０の設置壁部５１の前側にネジにより固定することで、該設置部材５０に取付けられる。また、本体部材２７１内には、発光演出基板２７２の前側に、各発光表示部２７６を区画する区画部材２７８が配設されている。
【００９２】
(発光表示部２７６について)
前記本体部材２７１の前壁部２７５に設けられた各発光表示部２７６は、図５、図７および図１０に示すように、半径方向に並んだ複数(実施例では４つ)の発光部(以降、半径方向内側から第１〜第４発光部２７６ａ,２７６ｂ,２７６ｃ,２７６ｄ)に区画されている。各発光表示部２７６の第１発光部２７６ａは、回転軸線Ｌを中心とする同一円周上において、該円周方向が長手となると共に、当該円に沿って湾曲している。また、夫々の発光表示部２７６における各第２発光部２７６ｂ、各第３発光部２７６ｃおよび各第４発光部２７６ｄの夫々は、回転軸線Ｌを中心とする同一円周上において、該円周方向が長手となると共に、当該円に沿って湾曲している。そして、図７および図１０に示すように、前壁部２７５の傾斜に基づいて、各発光表示部２７６においては、第１発光部２７６ａが最も後側に位置し、第２発光部２７６ｂは第１発光部２７６ａより前側に位置し、第３発光部２７６ｃは第２発光部２７６ｂより前側に位置すると共に、第４発光部２７６ｄは第３発光部２７６ｃより前側に位置している。
【００９３】
(発光演出基板２７２について)
前記発光演出基板２７２は、図６、図７および図１３に示すように、本体部材２７１の内部に収容可能な円弧状に形成されている。発光演出基板２７２の前面には、前述した各発光表示部２７６における第１〜第４発光部２７６ａ,２７６ｂ,２７６ｃ,２７６ｄの後側に対向する位置に、ＬＥＤチップ２７２ａが実装されている。ここで、実施例の発光演出基板２７２は、各発光表示部２７６における第１〜第４発光部２７６ａ,２７６ｂ,２７６ｃ,２７６ｄの個別に対応して、複数(実施例では３〜４個)のＬＥＤチップ２７２ａが、周方向へ所要間隔毎に実装されている。そして、発光演出基板２７２のＬＥＤチップ２７２ａは、前述したランプ制御基板２９３により発光制御され、各発光表示部２７６毎に個別に発光表示したり、各発光表示部２７６においては、第１〜第４発光部２７６ａ,２７６ｂ,２７６ｃ,２７６ｄ毎に個別に発光表示することが可能となっている。
【００９４】
(レンズ部材２７３について)
前記レンズ部材２７３は、図７および図１３に示すように、本体部材２７１の前壁部２７５に対して前側から取付けられ、発光表示部２７６の前側に位置する。レンズ部材２７３は、湾曲した透明部材であり、発光表示部２７６における第１〜第４発光部２７６ａ,２７６ｂ,２７６ｃ,２７６ｄの前側部分は、前方へ膨出して厚くなっている。レンズ部材２７３は、各装飾部材２７７と共に、本体部材２７１に対してネジで固定されるようになっている。なお、実施例のレンズ部材２７３は、周方向において３つに分割されているが、１つに構成されたものや、３つ以上に分割されたものや、各発光表示部２７６毎に個別に分割されたものであってもよい。
【００９５】
(区画部材２７８について)
前記区画部材２７８は、図７および図１３に示すように、本体部材２７１の内部に対して後側から取付けられ、前壁部２７５の後側に位置する。区画部材２７８は、各発光表示部２７６を区画すると共に、各発光表示部２７６における第１〜第４発光部２７６ａ,２７６ｂ,２７６ｃ,２７６ｄを区画する。すなわち区画部材２７８は、本体部材２７１の内部空間を略埋めるブロック状に構成され、各発光表示部２７６における円弧状をなす第１〜第４発光部２７６ａ,２７６ｂ,２７６ｃ,２７６ｄの形状を規定よう前後に開口する筒状部２７８ａが形成されている。すなわち、各筒状部２７８ａの後側開口は、発光演出基板２７２の前面に臨むと共に、該筒状部２７８ａの前側開口は、本体部材２７１の前壁部２７５の後面に臨んでいる。従って、各発光表示部２７６における各第１〜第４発光部２７６ａ,２７６ｂ,２７６ｃ,２７６ｄに対応するＬＥＤチップ２７２ａが発光した際には、該ＬＥＤチップ２７２ａの光により対応する筒状部２７８ａ内のみが明るくなり、これにより発光した当該ＬＥＤチップ２７２ａが対応する発光部２７６ａ,２７６ｂ,２７６ｃ,２７６ｄのみが明輝ようになる。なお、実施例の区画部材２７８は、周方向において３つに分割されているが、１つに構成されたものや、３つ以上に分割されたものや、各発光表示部２７６毎に個別に分割されたものであってもよい。
【００９６】
前述のように構成された発光演出装置２７０は、演出制御基板２９１の演出制御ＣＰ９１ａからの制御信号を受信するランプ制御基板２９３の制御に基づいて、発光表示部２７６による様々な発光態様を実行可能である。
(ａ)全て(１０個)の発光表示部２７６における第１〜第４発光部２７６ａ,２７６ｂ,２７６ｃ,２７６ｄを同時に発光させた発光態様(全発光態様)。
(ｂ)何れかの発光表示部２７６における第１〜第４発光部２７６ａ,２７６ｂ,２７６ｃ,２７６ｄの全ＬＥＤチップ２７２ａを発光させた発光態様(第１部分発光態様)。
(ｃ)全ての発光表示部２７６における第１〜第４発光部２７６ａ,２７６ｂ,２７６ｃ,２７６ｄの一部のみを発光させた発光態様(第２部分発光態様)。
(ｄ)可動演出装置１００における回転可動体１０２の回転に基づいてハーフミラー部１０５が第１演出位置および第２演出位置の間を環状に移動する際に、移動する当該ハーフミラー部１０５と前後に重なった発光表示部２７６を順次減光状態または消灯状態とする連動発光演出態様。
なお、実施例の発光演出基板２７２は、周方向において２つに分割されているが、１つに構成されたものや、３つ以上に分割されたものであってもよい。
【００９７】
(発光装飾体２８５について)
図３、図５、図７および図１３に示すように、前記発光演出装置２７０の内縁部と回転可動体１０２の支持部材１８３との間に、発光装飾体２８５が配設されている。この発光装飾体２８５は、回転可動体１０２の回転ベース体１８０を囲み、回転可動体１０２の回転軸線Ｌを中心とした環状に構成されている。具体的に、発光装飾体２８５は、環状に形成された装飾部材２８６と、該装飾部材２８６の後側に配設されたレンズ部材２８７と、該レンズ部材２８７の後側に配設された発光装飾基板２８８とを備えている。装飾部材２８６は、周方向へ所要間隔ごとに複数(実施例では１５個)の開口２８６ａが前面に形成されると共に、該前面は所要の意匠模様が形成されている。レンズ部材２８７は、円弧状に形成されると共に、前方へ膨出したレンズ部が、装飾部材２８６の各開口２８６ａに対応して設けられている。また、発光装飾基板２８８は、円弧状に形成されると共に、装飾部材２８６の各開口２８６ａと前後に対向する位置に、ＬＥＤチップ２８８ａが実装されている。発光装飾基板２８８は、ランプ制御基板２９３により発光制御され、発光したＬＥＤチップ２８８ａに対応する開口２８６ａが明輝することで発光演出が行われる。また、発光装飾体２８５は、可動演出装置１００を設置部材５０の設置壁部５１に取付けた後、発光演出装置２７０を取付ける前に該設置壁部５１に取付けられる。そして、発光装飾体２８５を設置壁部５１に取付けることで、可動演出装置１００の回転可動体１０２における円板部材１８２を隠すようになる(図７参照)。
【００９８】
(実施例の作用)
前述のように構成された実施例の可動演出装置１００は、第１表示装置１０３、ハーフミラー部１０５を組付けたフード１８１、上部カバー部材２４０および前部カバー体２５０等を、回転ベース体１８０の支持部材１８３に配設することで、回転可動体１０２が組立てられる。そして、ベース体１０１のベース部材１１０に設けられた第１〜第３回転支持ホイール１２１,１２２,１２３により、回転可動体１０２のフランジ部１８５を支持することで、当該回転可動体１０２がベース体１０１の前側における第１配設部１１６に回転可能に配設される。また、駆動機構１０６を構成する駆動モータ１３５および中間ギア１３８を、ベース体１０１の前側の第２配設部１１７に配設すると共に、第２表示装置１０４を、該ベース体１０１の前側の第３配設部１１８に配設する。
【００９９】
また、ベース体１０１の後側に設けられたユニット収容設置部１１９に、回転接続ユニット１６０を配設する。この際に、回転可動体１０２の回転ベース体１８０に設けられた第２連係部１９５,１９５と、回転接続ユニット１６０の回転部材１６２に設けられた第１連係部１６３,１６３とを夫々嵌合させることで、回転可動体１０２と回転接続ユニット１６０の回転部材１６２とが連係される。また、各センサ配設口１４９,１４９に第１検出センサ１５５および第２検出センサ１５６をセットしたもとで、カバー部材１５０をユニット収容設置部１１９に取付けることで、回転接続ユニット１６０、第１検出センサ１５５および第２検出センサ１５６が保持される。そして、第１表示装置１０３に配設した中継基板２３８に接続されて、回転ベース体１８０に設けた配線挿通口１９９を介してユニット収容設置部１１９内へ引き出した配線ＷＨ２を、回転接続ユニット１６０の回転部材１６２に配設した第２コネクタ１７０に接続する。更に、回転接続ユニット１６０の第１コネクタ１６８に接続された配線ＷＨ１と、第１検出センサ１５５に接続された配線ＷＨ３を、ベース部材１１０の後側に設けられた一方の配線挿通部１７３に通して、ベース体１０１の上方へ引き出す。また、第２検出センサ１５６に接続された配線ＷＨ４を、ベース部材１１０の後側に設けられた他方の配線挿通部１７３に通して、ベース体１０１の側方へ引き出す。
【０１００】
前述のように組立てられた可動演出装置１００は、ベース体１０１のベース部材１１０を、設置部材５０の設置壁部５１の前側にネジで取付ける。これにより、ベース体１０１のユニット収容設置部１１９が、設置壁部５１の開口部５４を介して、設置部材５０の後側に臨むようになる。そして、演出制御基板２９１を収容した基板ケースおよび表示制御基板２９２を収容した基板ケースが設置壁部５１の後側に設置されることで、ユニット収容設置部１１９に配設された回転接続ユニット１６０は、これら演出制御基板２９１および表示制御基板２９２で覆われ、通常状態においては設置部材５０の後側へ露出しない。
【０１０１】
前記設置部材５０の設置壁部５１に対する可動演出装置１００の取付け後に、発光装飾体２８５を該設置壁部５１に取付ける。更に、発光演出装置２７０を、可動演出装置１００のベース体１０１と一部が重なった状態で、設置壁部５１の前側にネジで取付ける。これにより、発光演出装置２７０は、回転可動体１０２が回転する際のハーフミラー部１０５の移動領域の後側に位置する。そして、可動演出装置１００、発光演出装置２７０および発光装飾体２８５等を組付けた設置部材５０を、遊技盤２０の後側に取付けることで、可動演出装置１００、発光演出装置２７０および発光装飾体２８５が、枠状装飾体３５の開口部３５ａ内に位置してパチンコ機１０の前側から視認可能となる。
【０１０２】
実施例のパチンコ機１０は、メインスイッチのＯＮ操作により起動して、初期設定が完了した状態において、可動演出装置１００では、回転可動体１０２が図３および図５に示す第１演出位置に停止保持され、該可動演出装置１００は第１演出状態となる。そして、操作ハンドル１６の操作に基づいて遊技が開始されて、遊技盤２０の遊技領域２４へ打ち出された遊技球が、始動入賞装置２５の第１始動入賞口２６または第２始動入賞口２７に入賞すると、第１始動入賞検出センサ４４または第２始動入賞検出センサ４５から検出信号がメイン制御基板２９０に送信される。これによりメイン制御基板２９０のメイン制御ＣＰＵ２９０ａでは、大当り抽選が行われると共に、演出制御基板２９１に所定の制御信号を送信する。そして、演出制御基板２９１は、メイン制御基板２９０から送信されたコマンドに基づく所定の処理を行い、表示制御基板２９２、ランプ制御基板２９３および音制御基板２９４に制御信号(制御コマンド)を送信する。表示制御基板２９２の表示制御ＣＰＵ２９２ａは、演出制御基板２９１から送信された制御信号(制御コマンド)に基づいて、第１表示装置１０３の表示部１０３ａで所定の演出を表示する制御を行うと共に、第２表示装置１０４の表示部１０４ａにおいて３列の図柄列における図柄の変動演出を表示する制御を行う。また、ランプ制御基板２９３は、演出制御基板２９１から送信された制御信号(制御コマンド)に基づいて、可動演出装置１００の発光演出装置２７０および発光装飾体２８５等を制御する。また、音制御基板２９４は、演出制御基板２９１から送信された制御信号(制御コマンド)に基づいて、スピーカ４８からの音声出力を制御する。
【０１０３】
ここで、前記始動入賞装置２５の第１始動入賞口２６への遊技球の入球を契機として、メイン制御基板２９０において大当り抽選の結果として大当りが発生すると、演出制御基板２９１に所定の制御信号を送信し、これに基づいて演出制御基板２９１から表示制御基板２９２に所定の制御信号が送信される。これにより表示制御基板２９２の表示制御ＣＰＵ２９２ａは、第１表示装置１０３の表示部１０３ａに所定の画像や映像を表示する制御を行うと共に、第２表示装置１０４の表示部１０４ａに所定図柄(「０」〜「９」)の組合せで図柄を停止表示する制御を行う。また、メイン制御基板２９０のメイン制御ＣＰＵ２９０ａは、第１特別入賞装置２８の開閉部材２８ｂを開放動作させて特別入賞口２８ａを開放させ、該特別入賞口２８ａへのパチンコ球の入球を可能とする。
【０１０４】
また、前記始動入賞装置２５の第２始動入賞口２７への遊技球の入球を契機として、メイン制御基板２９０のメイン制御ＣＰＵ２９０ａにおいて大当り抽選の結果として大当りが発生すると、演出制御基板２９１に所定の制御信号を送信し、これに基づいて演出制御基板２９１の演出制御ＣＰＵ２９１ａから表示制御基板２９２の表示制御ＣＰＵ２９２ａに所定の制御信号が送信される。これにより表示制御基板２９２の表示制御ＣＰＵ２９２ａは、第１表示装置１０３の表示部１０３ａに所定の画像や映像を表示する制御を行うと共に、第２表示装置１０４の表示部１０４ａに所定図柄(「０」〜「９」)の組合せで図柄を停止表示する制御を行う。また、メイン制御基板２９０のメイン制御ＣＰＵ２９０ａは、第２特別入賞装置２９の開閉部材２９ｂを開放動作させて特別入賞口２９ａを開放させ、該特別入賞口２９ａへのパチンコ球の入球を可能とする。
【０１０５】
(可動演出装置１００の演出態様について)
実施例の可動演出装置１００は、演出制御基板２９１の演出制御ＣＰＵ２９１ａにより駆動機構１０６の駆動モータ１３５を駆動制御することで、回転可動体１０２が両方向へ回転可能となっている。すなわち、駆動モータ１３５の駆動により、駆動ギア１３７が前側から見て左回転した場合には、中間ギア１３８が右回転し、従動ギア１３９が左回転することで、回転可動体１０２の回転ギア１８６が右回転する。従って、この場合には、回転可動体１０２は、前側から見て回転軸線Ｌを中心として右回転するようになる。また、駆動モータ１３５を逆駆動することにより、駆動ギア１３７が前側から見て右回転した場合には、中間ギア１３８が左回転し、従動ギア１３９が右回転することで、回転可動体１０２の回転ギア１８６が左回転する。従って、この場合には、回転可動体１０２は、前側から見て回転軸線Ｌを中心として左回転するようになる。
【０１０６】
(第１演出状態での演出)
そして、実施例の可動演出装置１００は、回転可動体１０２が図３、図５および図７に示す第１演出位置では、枠状装飾体３５の開口部３５ａ内の下部において、ハーフミラー部１０５が第２表示装置１０４と前後に重なっている。従って、回転可動体１０２が第１演出位置となっている第１演出状態において、表示制御基板２９２の表示制御ＣＰＵ２９２ａの制御により第１表示装置１０３および第２表示装置１０４を同時に作動させた場合には、枠状装飾体３５の開口部３５ａ内の下部において、第１表示装置１０３の表示部１０３ａでの演出がハーフミラー部１０５の反射面２０３で反射して表示されると共に、第２表示装置１０４の表示部１０４ａでの演出がハーフミラー部１０５を透過して表示される。すなわち、第１演出状態では、第１表示装置１０３の演出と第２表示装置１０４の演出とを、枠状装飾体３５の開口部３５ａ内の下部において、当該ハーフミラー部１０５の範囲内で重ねて表示することができる。
【０１０７】
また、第１演出状態において、表示制御基板２９２の表示制御ＣＰＵ２９２ａの制御により、第１表示装置１０３を作動させると共に第２表示装置１０４を作動させない場合には、枠状装飾体３５の開口部３５ａ内の下部において、第１表示装置１０３の表示部１０３ａでの演出がハーフミラー部１０５の反射面２０３で反射して表示される。また、第１演出状態において、表示制御基板２９２の表示制御ＣＰＵ２９２ａの制御により、第２表示装置１０４を作動させると共に第１表示装置１０３を作動させない場合には、枠状装飾体３５の開口部３５ａ内の下部において、第２表示装置１０４の表示部１０４ａでの演出がハーフミラー部１０５を透過して表示される。
【０１０８】
(第２演出状態での演出)
また、実施例の可動演出装置１００は、ハーフミラー部１０５と第２表示装置１０４とが前後方向で重ならない第２演出状態では、第２表示装置１０４の演出は第１演出状態の場合と同じ位置で行われ、第１表示装置１０３の演出は第１演出状態の場合とは異なる位置で行われる。しかも、回転可動体１０２の回転に伴ってハーフミラー部１０５が環状に移動するので、第１表示装置１０３の演出は、枠状装飾体３５の開口部３５ａ内において、該ハーフミラー部１０５の移動に伴って環状に移動するようになる。そして、ハーフミラー部１０５と第２表示装置１０４とが前後方向で重ならない第２演出状態において、回転可動体１０２が図１０および図１１に示す第２演出位置では、枠状装飾体３５の開口部３５ａ内の上部にハーフミラー部１０５が位置すると共に、第２表示装置１０４の表示部１０４ａが、該枠状装飾体３５の開口部３５ａ内の下部に位置する。
【０１０９】
前記第２演出状態において、表示制御基板２９２の表示制御ＣＰＵ２９２ａの制御により第１表示装置１０３および第２表示装置１０４を同時に作動させた場合には、ハーフミラー部１０５の位置において第１表示装置１０３の表示部１０３ａでの演出が反射表示されると共に、第２表示装置１０４の表示部１０４ａでの演出が、枠状装飾体３５の開口部３５ａ内の下部において直接視認される。すなわち、第２演出状態では、第１表示装置１０３の演出と第２表示装置１０４の演出とが異なる位置で同時に表示される。そして、第２演出状態において、表示制御基板２９２の制御により、第１表示装置１０３を作動させると共に第２表示装置１０４を作動させない場合には、枠状装飾体３５の開口部３５ａ内の適宜位置において、第１表示装置１０３の表示部１０３ａでの演出が、ハーフミラー部１０５の反射面２０３で反射して表示される。また、第２演出状態において、表示制御基板２９２の制御により、第２表示装置１０４を作動させると共に第１表示装置１０３を作動させない場合には、枠状装飾体３５の開口部３５ａ内の下部において、第２表示装置１０４の表示部１０４ａの演出が直接視認される。
【０１１０】
実施例の可動演出装置１００は、前記第２演出位置に停止して上下が逆向きとなったハーフミラー部１０５において、第１表示装置１０３の表示部１０３ａによる演出を反射表示する場合には、表示制御基板２９２の表示制御ＣＰＵ２９２ａの制御により、上下が正規な向きとなる正位置表示による演出表示および上下が逆向きとなる逆位置表示による演出表示を、遊技内容に応じて選択して表示することが可能である。
【０１１１】
また、実施例の可動演出装置１００は、回転可動体１０２を第２演出位置に停止させずに連続して１回転させると共に、該回転可動体１０２が１回転する間に亘って第１表示装置１０３の表示部１０３ａにおいて連続演出させることも可能である。この場合には、第１表示装置１０３の表示部１０３ａでの演出が、ハーフミラー部１０５の移動に伴って移動しながら表示される。この場合に、ハーフミラー部１０５の第２演出位置において、正位置表示と逆位置表示との切り替えを行わないように制御した場合には、該ハーフミラー部１０５の反射面２０３で反射表示した表示部１０３ａの演出が環状に移動するように見せることが可能である。例えば、第１表示装置１０３の表示部１０３ａで飛行体やジェットコースター等を表示している場合には、該飛行体が宙返りしたりジェットコースターが１回転する演出が可能である。
【０１１２】
(発光演出装置２７０の発光制御について)
前記発光演出装置２７０は、演出制御基板２９１により制御される。ここで、可動演出装置１００が第１演出状態の場合には、回転可動体１０２が第１演出位置(図３、図７参照)となり、ハーフミラー部１０５が第２表示装置１０４の前側に位置しており、該ハーフミラー部１０５が発光演出装置２７０と前後方向に重なっていない。従って、発光演出装置２７０の各発光表示部２７６を、全て発光させたり、個別に発光させることで、演出効果を高めることが可能である。一方、可動演出装置１００が第２演出状態の場合には、ハーフミラー部１０５が発光演出装置２７０と前後方向に重なっている。すなわち、ハーフミラー部１０５は、前後方向において、発光演出装置２７０における何れかの発光表示部２７６と重なっている。このため、ハーフミラー部１０５と前後に重なっている発光表示部２７６を発光させると、該発光表示部２７６がハーフミラー部１０５を介して視認され、該ハーフミラー部１０５の反射面２０３に反射した第１表示装置１０３の演出が適切に表示されなくなる。そこで、実施例の演出制御基板２９１は、環状に移動するハーフミラー部１０５と前後に重なった発光表示部２７６を、減光状態または消灯状態に制御される。すなわち、ハーフミラー部１０５の移動に連動して、発光演出装置２７０の各発光表示部２７６を順次減光状態または消灯状態とすることで、移動するハーフミラー部１０５に反射表示される第１表示装置１０３の演出を好適に視認することができる。
【０１１３】
従って、実施例のパチンコ機１０では、可動演出装置１００の回転可動体１０２を回転させて、ハーフミラー部１０５を回転軸線Ｌを中心として回転移動させることで、該ハーフミラー部１０５が第２表示装置１０４と前後に重なった第１演出状態および該ハーフミラー部１０５が第２表示装置１０４と前後に重ならない第２演出状態に適切に切り換え可能である。すなわち、第１演出状態において第１表示装置１０３および第２表示装置１０４の両方を作動させて演出状態とすることで、第１表示装置１０３の演出および第２表示装置１０４の演出がハーフミラー部１０５で重ねて表示されるので、ハーフミラー部１０５の領域内において複雑かつ変化に富んだ演出を実行し得る。また、第１演出状態において第１表示装置１０３のみを演出状態とすることで、該第１表示装置１０３での演出がハーフミラー部１０５の領域内で表示される一方、第１演出状態において第２表示装置１０４のみを演出状態とすることで、該第２表示装置１０４での演出がハーフミラー部１０５の領域内で表示されるので、多様な演出を一箇所で実行することが可能である。一方、第２演出状態において第１表示装置１０３および第２表示装置１０４の両方を演出状態とすることで、第１表示装置１０３の演出および第２表示装置１０４の演出が別々の位置で表示されるので、広い範囲において迫力ある演出を実行し得る。従って、多彩でかつ迫力ある演出が実行可能となり、遊技の興趣の向上を図り得る。
【０１１４】
また、実施例の可動演出装置１００では、第１表示装置１０３の表示部１０３ａが、バックライトを備えた液晶ディスプレイ２９９であり、表示部１０３ａの表示領域が全体的に明輝するようになる。これにより、バックライトにより全体が一様に明輝した表示部１０３ａを、ハーフミラー部の反射面２０３で好適に反射させることができる。また、第２表示装置１０４の表示部１０４ａが、発光表示基板２５７のＬＥＤチップ２５７ａが発する照射光により対応のセグメント２５６のみが明輝する７セグメントディスプレイ２５５である。これにより、発光表示基板２５７のＬＥＤチップ２５７ａが発する照射光がハーフミラー部１０５で反射されることなく透過するようになり、第２表示装置１０４の前側にハーフミラー部１０５が位置していても、該第２表示装置１０４の演出が好適に透視されるようになる。
【０１１５】
また、実施例の可動演出装置１００では、ハーフミラー部１０５の両側部や第１表示装置１０３の周囲を、フード１８１で囲むように構成されている。これにより、第１表示装置１０３の表示部１０３ａに外光が当り難く、該表示部１０３ａの周囲を暗くすることができるので、第１表示装置１０３の演出が明瞭になる。また、ハーフミラー部１０５にも外光が直接に当り難いので、該ハーフミラー部１０５の周囲を暗くすることができるので、反射面２０３で反射した第１表示装置１０３の演出が明瞭になると共に、第２表示装置１０４の演出も明瞭になり、第１表示装置１０３の演出および第２表示装置１０４の演出の視認性を高めることができる。更に、フード１８１の前壁部材２１４とハーフミラー部１０５とが前後方向で重ならないので、該ハーフミラー部１０５の一部が前壁部材２１４で隠れて見えなくなることが防止され、ハーフミラー部１０５に反射表示される第１表示装置１０３の表示部１０３ａの演出に対する視認性が低下することを防止し得る。
【０１１６】
一方、発光演出装置２７０は、回転可動体１０２の回転に伴って環状に移動するハーフミラー部１０５の移動領域に沿って並んで配列された複数の発光表示部２７６を点灯制御することで、枠状装飾体３５の開口部３５ａ内における広い範囲が照明されるようになり、迫力ある演出を実行することができる。そして、回転可動体１０２の回転に伴って環状に移動するハーフミラー部１０５に合せて、該ハーフミラー部１０５と前後に重なった発光表示部２７６を減光状態または消灯状態とすることで、回転可動体１０２を回転させながら第１表示装置１０３の演出を実行する際に、ハーフミラー部１０５に反射した該第１表示装置１０３の演出が、発光した発光表示部２７６と重ならない。従って、回転可動体１０３の回転中において、ハーフミラー部１０５に反射表示された第１表示装置１０３の演出を好適に表示することができる。
【０１１７】
また、第１表示装置１０３は、表示部１０３ａでの演出を上下逆転して表示することが可能であるから、上下逆向きの姿勢となった第２演出位置に保持されたハーフミラー部１０５において、該第１表示装置１０３の表示部１０３ａの演出を、上下が正規の向きである正位置表示または上下が逆向きである逆位置表示で表示することができる。従って、ハーフミラー部１０５が第２表示位置において、該ハーフミラー部１０５に反射表示される演出内容の多様化が図られる。
【０１１８】
(回転可動体１０２と回転接続ユニット１６０との連係について)
回転接続ユニット１６０の回転部材１６２に設けられた第１連係部１６３と、回転可動体１０２に設けられた第２連係部１９５とが、該回転部材１６２の回転軸線Ｌに沿う方向および該回転軸線Ｌと直交する直径方向において相対的な位置が変位が許容されるように連係されている。これにより、回転中の回転可動体１０２に振動が発生した場合や、駆動機構１０６を起因とした振動が発生した場合に、各第１連係部１６３と各第２連係部１９５との相対位置が変位することで、該回転可動体１０２に発生する振動や位置ずれを第１連係部１６３および第２連係部１９５で吸収し得るようになり、回転部材１６２に振動や負荷がかかることを防止し得る。これにより、回転可動体１０２の回転に伴う回転部材１６２の回転時に、ケース体１６１に配設された第１導通部１６４と回転部材１６２に配設された第２導通部１６５との摺接状態が安定的に維持され、演出制御基板２９１から該回転可動体１０２に設けられた第１表示装置１０３への電気供給や信号送信の安定化が図られる。
【０１１９】
また、第１連係部１６３は、突出方向と直交する交差方向での断面形状が円形をなしているので、第２連係部１９５との接触面積を小さくすることができる。これにより、第１連係部１６３と第２連係部１９５との相対的な位置変位がスムーズになり、回転可動体１０２に発生する振動を適切に吸収することができる。更に、複数組の対をなす第１連係部１６３,１６３および第２連係部１９５,１９５が、回転部材１６２の回転軸線Ｌと直交する直径方向で該回転軸線Ｌから離間した位置に設けられているので、回転部材１６２と回転可動体１０２との安定した連係を図ることができる。そして、対をなす第１連係部１６３および第２連係部１９５と、別の対をなす第１連係部１６３および第２連係部１９５とは、回転部材１６２の回転軸線Ｌを通る直線上から外れた位置に設けられることで、第２連係部１９５の長手の向きが各第２連係部１９５毎に異なる。これにより、回転部材１６２の外面１６２ａの面方向において、回転可動体１０２が該回転部材１６２に対して相対的な位置変位が可能となり、該回転可動体１０２の振動をより一層吸収し易い。
【０１２０】
更に、回転接続ユニット１６０は、ケース体１６１が、図６に示すように、弾性変形が可能な保持部材１６９,１６９を介してベース体１０１のユニット収容設置部１１９の取付壁部１４５に取付けられている。従って、回転可動体１０２の回転時に発生した振動が回転接続ユニット１６０に伝達された場合に、ケース体１６１が取付壁部１４５に対して僅かに動くことが許容されると共に保持部材１６９,１６９が振動を吸収し得るので、ケース体１６１と回転部材１６２との間に負荷がかかることを軽減し得る。
【０１２１】
(回転接続ユニット１６０の脱着について)
実施例のパチンコ機１０では、演出制御基板２９１を収容した基板ケースおよび表示制御基板２９２を収容した基板ケースを設置部材５０から取り外すことで、設置壁部５１に形成された開口部５４を介してユニット収容設置部１１９が設置部材５０の後側へ露出する。これにより、ユニット収容設置部１１９に対するカバー部材１５０の脱着が可能であると共に、回転接続ユニット１６０の脱着や、第１検出センサ１５５および第２検出センサ１５６の脱着も可能である。すなわち、実施例のパチンコ機１０では、設置部材５０を遊技盤２０から取り外したり、該設置部材５０から可動演出装置１００を取り外したり、可動演出装置１００の回転可動体１０２をベース体１０１から取り外すことなく、回転接続ユニット１６０や、第１および第２検出センサ１５５,１５６の脱着が可能である。従って、回転接続ユニット１６０のメンテナンスおよび交換作業や、第１および第２検出センサ１５５,１５６のメンテナンスおよび交換作業を、迅速かつ容易に行うことができる。特に、回転接続ユニット１６０は、第１導通部１６４と第２導通部１６５との接触状態を適切に維持するために定期的なメンテナンスが必要とされるユニットであり、該回転接続ユニット１６０のメンテナンス作業の迅速化および容易化に顕著な効果を奏する。
【０１２２】
(変更例)
本発明に係る遊技機は、実施例に例示の形態に限らず種々の変更が可能である。
（１）実施例では、可動体が回転する構造とすることで、ハーフミラー部が第２表示装置と前後に重なる第１演出状態および該ハーフミラー部が第２表示装置の前側から外れた第２演出状態に変更可能な可動演出装置を例示したが、可動体が直線状またはスプライン状に往復移動することで、第１演出状態および第２演出状態に変更する構造であってもよい。
（２）回転可動体に配設される第１表示手段を、表示部が７セグメントディスプレイから構成されたものとし、ベース体に配設される第２表示手段を、表示部が液晶ディスプレイから構成されたものとしてもよい。
（３）第１表示手段および第２表示手段は、表示部が、液晶タイプの表示ディスプレイやセグメントタイプの表示ディスプレイから構成されたものに限らず、ドッドマトリックスタイプの表示ディスプレイ、ドラムタイプの表示装置、ベルトタイプの表示装置等から構成されたものであってもよい。
（４）可動演出装置の回転ベース体に配設される第１表示手段の配設姿勢は、実施例に例示した前後方向と直交する方向に表示部が向いた姿勢に限定されず、前後方向に対して斜めに交差する方向に表示部が向いた姿勢であってもよい。
（５）可動演出装置の回転ベース体に配設されるハーフミラー部の配設姿勢は、実施例に例示した傾斜角度に限定されず、反射表示する第１表示手段の配設姿勢との関係で、様々に設定することが可能である。
（６）可動演出装置は、回転可動体に複数の表示装置を配設すると共に複数のハーフミラー部を配設したり、ベース体に複数の表示装置を配設した構成としてもよい。
（７）回転接続ユニットに設けられた第１連係部を、回転部材の外面から凹んだ凹状部とすると共に、回転可動体に設けられた第２連係部を、該第１連係部に嵌合可能な凸状部として、第２嵌合部より第１連係部を幅広に形成することで、相対位置が変位可能に第１連係部と第２連係部とが嵌合するよう構成してもよい。
（８）第１連係部または第２連係部において、回転接続ユニットまたは回転可動体から突出した凸状部の連係部は、突出方向と交差する方向の断面積は円形状に限らず、楕円形状や、多角形状であってもよい。
（９）第１連係部および第２連係部からなる組の数は、実施例に例示した２組に限らず、１組または３組以上であってもよい。
（１０）ユニット収容設置部に配設した回転接続ユニットを保持するカバー部材は、該ユニット収容設置部の開口を塞ぐ形状としてもよい。
（１１）遊技盤の盤面構成は、実施例に示すものに限られるものでなく、特別入賞部は１つであってもよく、また第１始動入賞部と第２始動入賞部とが別々に遊技盤に取着される構成であってもよい。
【０１２３】
（１２）実施例においてメイン制御手段(メイン制御ＣＰＵ)が備える機能の全部または一部をサブ制御手段(演出制御ＣＰＵ)が備えるようにしてもよく、反対にサブ制御手段が備える機能の全部または一部をメイン制御手段が備えるようにしてもよい。そして実施例では、メイン制御基板とサブ制御基板(演出制御基板)とを分けて設けるようにしたが、単一の制御基板とすることもできる。すなわち、実施例におけるメイン制御手段およびサブ制御手段の機能を、単一の制御基板に設けた制御手段(ＣＰＵ)が備えるようにしてもよい。更に、別途制御基板を備えて、実施例のメイン制御手段やサブ制御手段が備える機能の全部または一部を、別の制御手段に備えさせてもよい。
（１３）実施例において演出制御手段(演出制御ＣＰＵ)が備える機能の全部または一部を表示制御手段(表示制御ＣＰＵ)が備えるようにしてもよく、反対に表示制御手段が備える機能の全部または一部を演出制御手段が備えるようにしてもよい。そして実施例では、演出制御基板(演出制御ＣＰＵ)と表示制御基板(表示制御ＣＰＵ)とを分けて設けるようにしたが、単一の制御基板とすることもできる。すなわち、実施例における演出制御手段および表示制御手段の機能を、単一の制御基板に設けた制御手段(ＣＰＵ)が備えるようにしてもよい。また、発光制御を行うランプ制御手段や音出力制御を行う音制御手段に関しても同様に、演出制御手段が兼用することができる。
（１４）実施例では、演出制御基板に備えられた駆動制御部から出力したパルス信号に基づいて駆動モータを駆動制御する構成となっているが、駆動制御部は、演出制御基板とは別に構成してもよい。この場合には、演出制御基板と駆動制御部とが配線により接続されて、該演出制御基板の演出制御ＣＰＵから駆動制御部へ制御信号が送信されることで、該駆動制御部が該制御信号に基づいて駆動モータに対してパルス信号を出力するよう構成される。
（１５) 実施例では、遊技機としてパチンコ機を例示して説明したが、これに限られるものではなく、スロットマシン、アレンジボール機およびピンボール機等の公知の各種遊技機であってもよい。
ここで、スロットマシンは、前方に開口する矩形箱状に形成された本体としての筐体と、該筐体の前側に開閉可能に取り付けられた前側部材としての前面扉とを備えており、複数列のリールユニットを備えた図柄表示装置が、前面扉に設けられた窓口に臨むように配設されている。また、前面扉には、可動体が動作する可動演出装置が配設されている。ここで、前記図柄表示装置は、取付部に配設されたリールユニットが回転するように構成され、また可動演出装置には、取付部に対して可動体が回転可能な構成のものがある。このような図柄表示装置や可動演出装置では、リールユニットや可動体に電気部品(モータや照明装置等)を備えており、取付部側に位置する制御部と、リールユニットおよび可動体の電気部品とを接続する回転接続ユニットを備えている。
【符号の説明】
【０１２４】
５０ 設置部材(遊技機構成部材)
５１ 設置壁部(壁部)
５４ 開口部
１０１ ベース体(取付部)
１０２ 回転可動体
１０３ 第１表示装置(電気部品)
１１９ ユニット収容設置部
１４６ 開口部
１４９ センサ設置口(検出手段配設部)
１５０ カバー部材
１５２ 第１センサ保持部(検出手段保持部)
１５３ 第２センサ保持部(検出手段保持部)
１５５ 第１検出センサ(検出手段)
１５６ 第２検出センサ(検出手段)
１６０ 回転接続ユニット
１６１ ケース体
１６２ 回転部材
１６４ 第１導通部
１６５ 第２導通部
１７３  配線挿通部
１９６ 検出片(検出部)
２９１ 演出制御装置(制御部)
ＷＨ１ 配線(第２の配線)
ＷＨ２ 配線(第１の配線)
【図１】
2017000631.tif 000003
【図２】
2017000631.tif 000004
【図３】
2017000631.tif 000005
【図４】
2017000631.tif 000006
【図５】
2017000631.tif 000007
【図６】
2017000631.tif 000008
【図７】
2017000631.tif 000009
【図８】
2017000631.tif 000010
【図９】
2017000631.tif 000011
【図１０】
2017000631.tif 000012
【図１１】
2017000631.tif 000013
【図１２】
2017000631.tif 000014
【図１３】
2017000631.tif 000015
【図１４】
2017000631.tif 000016
【図１５】
2017000631.tif 000017